(57)【要約】【課題】構成を簡易化する。【解決手段】本発明は、取込用固設部品が固設される回転軸と、回転軸に取込用固設部品の１つとして固設された固定羽根車と、回転軸に一回転方向及び他回転方向へ回転可能に設けられ、回転軸に対する複数の羽根の位置の制御用として羽根側係合部が設けられた可変羽根車とを設け、取込用固設部品のうちの何れかに羽根側係合部との接触箇所を変えて、回転軸に対して可変羽根車の複数の羽根を変位させるための部品側係合部を設けることにより、回転軸に取込用固設部品とは別部品となる係合部を設けることなく、羽根側係合部と部品側係合部とにより回転軸に対して可変羽根車の複数の羽根を、取込繰出路内及び媒体収納空間からの待避用に固定羽根車の複数の羽根の突出側へ変位させ、媒体の媒体収納空間への取込用に固定羽根車の複数の羽根の否突出側へ変位させて、構成を簡易化できる。【選択図】図６
2014125323.tif 000002
【特許請求の範囲】
【請求項１】
一回転方向へ回転可能に設けられ、媒体を所定の取込繰出路を介して媒体収納空間に取り込むための複数種類の取込用固設部品が固設される回転軸と、
上記回転軸に複数種類の上記取込用固設部品の１つとして固設され、本体部の外周面の一部に複数の羽根が植設された固定羽根車と、
上記回転軸に上記一回転方向、及び当該一回転方向とは逆の他回転方向へ回転可能に設けられ、本体部の外周面の一部に複数の羽根が植設されると共に、上記回転軸に対する当該複数の羽根の位置の制御用として羽根側係合部が設けられた可変羽根車と
を具え、
上記固定羽根車を含む複数種類の上記取込用固設部品のうちの何れかに、上記回転軸に対する上記可変羽根車の回転に応じて羽根側係合部との接触箇所を変えて、当該回転軸に対して上記可変羽根車の上記複数の羽根を、上記回転軸に対する上記固定羽根車の上記複数の羽根の突出側へ変位させ、また当該回転軸に対する上記固定羽根車の上記複数の羽根の否突出側へ変位させるための部品側係合部が設けられた
取込繰出装置。
【請求項２】
上記回転軸に複数種類の上記取込用固設部品の１つとして上記可変羽根車の隣に位置するように固設され、本体部に上記部品側係合部が設けられると共に、上記取込繰出路を介して上記媒体が取込用に搬送される際に当該媒体の端部を押し上げるようにして変形させるための押上板が設けられた押上部
を具える請求項１に記載の取込繰出装置。
【請求項３】
上記可変羽根車は、
上記本体部の一方の側面に円形又は円弧状の凹部が設けられると共に、当該凹部の内周面に上記羽根側係合部が設けられ、
上記押上部は、
上記本体部の一方の側面に突起でなる上記部品側係合部が設けられ、当該部品側係合部を上記可変羽根車の上記凹部に挿入した状態で上記回転軸に固設された
請求項２に記載の取込繰出装置。
【請求項４】
上記押上部は、
上記本体部に、上記押上板としての機能を併せ持つ上記部品側係合部が設けられた
請求項２に記載の取込繰出装置。
【請求項５】
一回転方向へ回転可能に設けられ、本収納庫の外部から媒体を所定の取込繰出路を介して上記本収納庫の内部の媒体収納空間に取り込むための複数種類の取込用固設部品が固設される回転軸と、
上記回転軸に複数種類の上記取込用固設部品の１つとして固設され、本体部の外周面の一部に複数の羽根が植設された固定羽根車と、
上記回転軸に上記一回転方向、及び当該一回転方向とは逆の他回転方向へ回転可能に設けられ、本体部の外周面の一部に複数の羽根が植設されると共に、上記回転軸に対する当該複数の羽根の位置の制御用として羽根側係合部が設けられた可変羽根車と
を具え、
上記固定羽根車を含む複数種類の上記取込用固設部品のうちの何れかに、上記回転軸に対する上記可変羽根車の回転に応じて上記羽根側係合部との接触箇所を変えて、当該回転軸に対して上記可変羽根車の上記複数の羽根を、上記回転軸に対する上記固定羽根車の上記複数の羽根の突出側へ変位させ、また当該回転軸に対する上記固定羽根車の上記複数の羽根の否突出側へ変位させるための部品側係合部が設けられた
媒体収納庫。
【請求項６】
一回転方向へ回転可能に設けられ、取扱対象の媒体を所定の取込繰出路を介して媒体収納空間に取り込むための複数種類の取込用固設部品が固設される回転軸と、
上記回転軸に複数種類の上記取込用固設部品の１つとして固設され、本体部の外周面の一部に複数の羽根が植設された固定羽根車と、
上記回転軸に上記一回転方向、及び当該一回転方向とは逆の他回転方向へ回転可能に設けられ、本体部の外周面の一部に複数の羽根が植設されると共に、上記回転軸に対する当該複数の羽根の位置の制御用として羽根側係合部が設けられた可変羽根車と
を具え、
上記固定羽根車を含む複数種類の上記取込用固設部品のうちの何れかに、上記回転軸に対する上記可変羽根車の回転に応じて上記羽根側係合部との接触箇所を変えて、当該回転軸に対して上記可変羽根車の上記複数の羽根を、上記回転軸に対する上記固定羽根車の上記複数の羽根の突出側へ変位させ、また当該回転軸に対する上記固定羽根車の上記複数の羽根の否突出側へ変位させるための部品側係合部が設けられた
媒体取扱装置。
【発明の詳細な説明】
【技術分野】
【０００１】
本発明は取込繰出装置、媒体収納庫及び媒体取扱装置に関し、例えば、現金としての紙幣を収納するための紙幣収納庫が設けられ、当該紙幣の入金及び出金の取引を行う現金自動預払機（ATM：Automatic  Teller  Machine）に適用して好適なものである。
【背景技術】
【０００２】
従来の現金自動預払機は、顧客から入金用の紙幣を受け取り、また顧客に出金用の紙幣を引き渡すための紙幣受渡部と、複数の紙幣を収納するための紙幣収納庫と、当該紙幣受渡部及び紙幣収納庫の間で紙幣を搬送するための搬送路とが設けられている。
【０００３】
そして現金自動預払機は、紙幣の入金時、紙幣受渡部により顧客から入金用の１又は複数の紙幣を受け取った後、当該紙幣受渡部から、その入金用の紙幣を１枚ずつ繰り出し搬送路を介して紙幣収納庫へ搬送して収納していた。
【０００４】
また現金自動預払機は、紙幣の出金時、紙幣収納庫から、顧客により指定された金額分の紙幣を出金用として１枚ずつ繰り出し搬送路を介して紙幣受渡部へ搬送して、当該紙幣受渡部から、その出金用の紙幣を顧客に引き渡していた。
【０００５】
ところで、紙幣収納庫は、内部に紙幣収納空間が形成されている。そして紙幣収納庫は、紙幣収納空間で昇降可能なステージを有し、当該ステージに複数の紙幣を順に重ねるように載上して、その紙幣収納空間に複数の紙幣を収納するための収納部が設けられている。
【０００６】
また紙幣収納庫は、紙幣を取込及び繰出用に搬送するための取込繰出路を有し、搬送路を介して搬送される紙幣を、取込繰出路を介して紙幣収納空間に取り込んでステージに載せ、また紙幣収納空間からステージ上の紙幣を取込繰出路を介して搬送路へ繰り出すための取込繰出部も設けられている。
【０００７】
実際に取込繰出部は、取込繰出路の上側において紙幣収納空間の近傍に、一回転方向、及びこれとは逆の他回転方向へ回転可能に支持された回転軸（以下、これを第１回転軸とも呼ぶ）を有している。
【０００８】
そして第１回転軸には、紙幣取込繰出用の例えば、２個のローラ（以下、これらをフィードローラとも呼ぶ）が、その外周面の一部を取込繰出路内に入り込ませながら当該第１回転軸と一体に回転するように固設されている。
【０００９】
また取込繰出部は、取込繰出路の下側において紙幣収納空間の近傍に、一回転方向及び他回転方向へ回転可能に支持された回転軸（以下、これを第２回転軸とも呼ぶ）も有している。
【００１０】
そして第２回転軸には、紙幣取込用の例えば、２個のローラ（以下、これらを取込ローラとも呼ぶ）が、その外周面の一部を取込繰出路内に入り込ませてフィードローラの外周面の一部と対向させながら当該第２回転軸と一体に回転するように固設されている。
【００１１】
また図２２に示すように、第２回転軸２００は、例えば、２個の取込ローラ（図示せず）の左側に、略環状の押上部２０１が当該第２回転軸２００と一体に回転するように固設されている。
【００１２】
さらに第２回転軸２００は、押上部２０１の左隣に羽根車２０２が、一回転方向（図中に矢印で示した方向）及び他回転方向へ回転可能に設けられている。
【００１３】
この場合、押上部２０１の左隣の羽根車２０２は、環状の本体部２０２Ａを有し、当該本体部２０２Ａの外周面において１８０度以下の所定の角度範囲に、それぞれ弾性を有する短冊状の複数の羽根２０２Ｂが放射状に突出するように植設されている。
【００１４】
すなわち、羽根車２０２は、本体部２０２Ａの外周面の一部に複数の羽根２０２Ｂが植設されている。そして羽根車２０２は、第２回転軸２００に対して回転し得るため、その第２回転軸２００に対する複数の羽根２０２Ｂの位置を変化させることができる。
【００１５】
よって、以下の説明では、第２回転軸２００に回転可能に設けられ、その第２回転軸２００に対する複数の羽根２０２Ｂの位置を変化可能な羽根車２０２を、可変羽根車２０２とも呼ぶ。
【００１６】
さらに第２回転軸２００は、可変羽根車２０２よりも左側の部分がコイルばね２０３の孔部に挿入されると共に、当該コイルばね２０３の左側に羽根車２０４が当該第２回転軸２００と一体に回転するように固設されている。
【００１７】
この場合、コイルばね２０３の左側の羽根車２０４は、環状の本体部２０４Ａを有し、当該本体部２０４Ａの外周面において１８０度以下の所定の角度範囲に、それぞれ弾性を有する短冊状の複数の羽根２０４Ｂが放射状に突出するように植設されている。
【００１８】
すなわち、係る羽根車２０４も、可変羽根車２０２と同様に本体部２０４Ａの外周面の一部に複数の羽根２０４Ｂが植設されている。
【００１９】
ただし、羽根車２０４は、第２回転軸２００に固設されているため、当該第２回転軸２００に対する複数の羽根２０４Ｂの位置も固定されている。
【００２０】
よって、以下の説明では、第２回転軸２００に固設され、その第２回転軸２００に対する複数の羽根２０４Ｂの位置が固定された羽根車２０４を、固定羽根車２０４とも呼ぶ。
【００２１】
さらに第２回転軸２００は、例えば、右端部に、回転子２０５が当該第２回転軸２００と一体に回転するように固設されている。
【００２２】
さらにまた第２回転軸２００は、例えば、回転子２０５の右側に、当該第２回転軸２００を一回転方向へのみ回転させるためのワンウェイクラッチ２０６を介して駆動ギア２０７が設けられている。
【００２３】
因みに、回転子２０５は、例えば、平ワッシャ状の本体部２０５Ａの外周の一部に短冊状の被検出部２０５Ｂが突設されている。
【００２４】
また取込繰出部は、第２回転軸２００の右端部と対向させて配置された略コ字状の回転位置検出部２０８を有している。
【００２５】
そして回転子２０５は、第２回転軸２００と一体に回転した場合、被検出部２０５Ｂが回転位置検出部２０８の溝部内を通るように、当該第２回転軸２００に固設されている。
【００２６】
なお、回転位置検出部２０８は、第２回転軸２００の回転制御用に、溝部内に回転子２０５の被検出部２０５Ｂが入り込んだか否かを光学的に検出するものである。
【００２７】
ところで、図２３に示すように、可変羽根車２０２は、本体部２０２Ａの左側面（すなわち、固定羽根車２０４側の面）において複数の羽根２０２Ｂの否突出側及び突出側に例えば、１８０度のような所定の間隔で、第２回転軸２００に対する複数の羽根２０２Ｂの位置の制御用として凸状の第１係合部２０２Ｃ及び第２係合部２０２Ｄが設けられている。
【００２８】
また第２回転軸２００（図２２）は、外周面において固定羽根車２０４の複数の羽根２０４Ｂの否突出側で、かつ可変羽根車２０２の左側面の近傍となる所定箇所に、第２回転軸２００に対する可変羽根車２０２の複数の羽根２０２Ｂの位置の制御用としてピン状の第３係合部２０９が突設されている。
【００２９】
そして可変羽根車２０２は、第２回転軸２００に対して第３係合部２０９に第１係合部２０２Ｃを接触させる位置から第３係合部２０９に第２係合部２０２Ｄを接触させる位置までのほぼ１８０度の角度範囲で回転するようにして、その第２回転軸２００に対する複数の羽根２０２Ｂの位置を変化させている。
【００３０】
実際に可変羽根車２０２は、第２回転軸２００に対し一回転方向へ回転して第３係合部２０９に第１係合部２０２Ｃを接触させた場合、複数の羽根２０２Ｂを第２回転軸２００に対する固定羽根車２０４の複数の羽根２０４Ｂの突出側へ位置させている。
【００３１】
また可変羽根車２０２は、第２回転軸２００に対し他回転方向へ回転して第３係合部２０９に第２係合部２０２Ｄを接触させた場合、複数の羽根２０２Ｂを第２回転軸２００に対する固定羽根車２０４の複数の羽根２０４Ｂの否突出側（すなわち、突出側とは反対側）へ位置させている。
【００３２】
そしてコイルばね２０３は、一端部が可変羽根車２０２に係止されると共に、他端部が固定羽根車２０４に係止され、第２回転軸２００に対し可変羽根車２０２を一回転方向へ回転させるように付勢している。
【００３３】
さらにまた図２４に示すように、押上部２０１は、例えば、環状の本体部２０１Ａを有し、当該本体部２０１Ａの外周面の右縁部（すなわち、可変羽根車２０２側の縁部）において固定羽根車２０４の複数の羽根２０４Ｂの突出側に円弧状の押上板２０１Ｂが突設されている。
【００３４】
なお第２回転軸２００は、特に図示しないが、２個の取込ローラの右側（すなわち、２個の取込ローラと、回転子２０５との間）にも、当該２個の取込ローラの左側と同様に押上部、可変羽根車、ピン状の第３係合部、コイルばね及び固定羽根車が順に設けられている。
【００３５】
そして取込繰出部は、第２回転軸２００の一回転方向への回転を停止させた場合、可変羽根車２０２をコイルばね２０３の付勢に従って一回転方向へ回転させて第３係合部２０９に第１係合部２０２Ｃを接触させて、可変羽根車２０２の複数の羽根２０２Ｂを第２回転軸２００に対する固定羽根車２０４の羽根２０４Ｂの突出側へ位置させる。
【００３６】
また取込繰出部は、第２回転軸２００を一回転方向へ回転させた場合、可変羽根車２０２の複数の羽根２０２Ｂが何ら負荷を受けなければ、当該可変羽根車２０２を第３係合部２０９に第２係合部２０２Ｃを接触させたまま固定羽根車２０４と共に一回転方向へ回転させる。
【００３７】
さらに取込繰出部は、第２回転軸２００を一回転方向へ回転させた場合に可変羽根車２０２の羽根２０２Ｂが紙幣等に接触して負荷を受けると、当該可変羽根車２０２の回転を停止させて第３係合部２０９を第１係合部２０２Ｃから引き離すようにして固定羽根車２０４は一回転方向へ回転させる。
【００３８】
そして取込繰出部は、第２回転軸２００と共に固定羽根車２０４を一回転方向へ回転させて、第３係合部２０９を可変羽根車２０２の第２係合部２０２Ｄに接触させて複数の羽根２０２Ｂを第２回転軸２００に対する固定羽根車２０４の複数の羽根２０４Ｂの否突出側へ変位させると、そのまま可変羽根車２０２を固定羽根車２０４と共に一回転方向へ回転させる。
【００３９】
取込繰出部は、係る構成のもと、回転位置検出部２０８による回転子２０５の被検出部２０５Ｂの検出結果に応じて第２回転軸２００の回転が停止すると、固定羽根車２０４の複数の羽根２０４Ｂを取込繰出路内及び紙幣収納空間から待機させる。
【００４０】
また取込繰出部は、この際、可変羽根車２０２をコイルばね２０３の付勢に従って第２回転軸２００に対して一回転方向へ回転させて、当該可変羽根車２０２の複数の羽根２０２Ｂも取込繰出路内及び紙幣収納空間から待避させる。
【００４１】
そして取込繰出部は、紙幣取込時、第１回転軸を他回転方向へ回転させると共に第２回転軸２００を一回転方向へ回転させて、取込繰出路内で紙幣を、互いに逆回転しているフィードローラ及び取込ローラの間に挟み込みながら紙幣収納空間側へ送り出す。
【００４２】
この際、取込繰出部は、第２回転軸２００と共に左右の可変羽根車２０２及び固定羽根車２０４を一回転方向へ回転させると共に、左右の押上部２０１も一回転方向へ回転させる。
【００４３】
そして取込繰出部は、取込繰出路内の紙幣が第２回転軸２００の上側を通るときには、押上部２０１の押上板２０１Ｂや可変羽根車２０２の複数の羽根２０２Ｂにより、その紙幣の一端部及び他端部を押し上げるようにして変形させる。
【００４４】
これにより取込繰出部は、取込繰出路から紙幣を、その一端部及び他端部のばたつきを抑えながら紙幣収納空間へ放出する。
【００４５】
そして取込繰出部は、紙幣を紙幣収納空間へ放出した際には、当該紙幣の取込繰出路側の縁部を、可変羽根車２０２の羽根２０２Ｂや固定羽根車２０４の羽根２０４Ｂで上から叩くようにして、その紙幣をステージに載せる。
【００４６】
このようにして紙幣収納庫は、紙幣の収納時、搬送路を介して搬送される紙幣を取込繰出部により紙幣収納空間に取り込んでステージに載せるようにして収納していた。
【００４７】
また取込繰出部は、紙幣繰出時、上述と同様に第２回転軸２００の回転が停止することにより、固定羽根車２０４の複数の羽根２０４Ｂ及び可変羽根車２０２の複数の羽根２０２Ｂを取込繰出路内及び紙幣収納空間から待避させる。
【００４８】
そして取込繰出部は、ステージ上の紙幣を紙幣収納空間から取込繰出路へ取り込んで、第１回転軸と共に一回転方向へ回転しているフィードローラにより当該紙幣を取込繰出路内で搬送路へ送り出す。
【００４９】
このようにして紙幣収納庫は、紙幣繰出時、ステージ上の紙幣を、可変羽根車２０２の複数の羽根２０２Ｂ及び固定羽根車２０４の複数の羽根２０４Ｂに接触させることなく取込繰出路を介して搬送路へ繰り出していた（例えば、特許文献１参照）。
【先行技術文献】
【特許文献】
【００５０】
【特許文献１】特開２０１０−１２０７６０公報（第３頁乃至第５頁、図１乃至図６）
【発明の概要】
【発明が解決しようとする課題】
【００５１】
ところが、係る構成の現金自動預払機では、上述したように紙幣収納庫の取込繰出部に設ける部品の数が比較的多く、当該取込繰出部の構成が煩雑化しているという問題があった。
【００５２】
本発明は以上の点を考慮してなされたもので、構成を簡易化し得る取込繰出装置、媒体収納庫及び媒体取扱装置を提案しようとするものである。
【課題を解決するための手段】
【００５３】
かかる課題を解決するため本発明においては、一回転方向へ回転可能に設けられ、媒体を所定の取込繰出路を介して媒体収納空間に取り込むための複数種類の取込用固設部品が固設される回転軸と、回転軸に複数種類の取込用固設部品の１つとして固設され、本体部の外周面の一部に複数の羽根が植設された固定羽根車と、回転軸に一回転方向、及び当該一回転方向とは逆の他回転方向へ回転可能に設けられ、本体部の外周面の一部に複数の羽根が植設されると共に、回転軸に対する当該複数の羽根の位置の制御用として羽根側係合部が設けられた可変羽根車とを設けるようにして、固定羽根車を含む複数種類の取込用固設部品のうちの何れかに、回転軸に対する可変羽根車の回転に応じて羽根側係合部との接触箇所を変えて、当該回転軸に対して可変羽根車の複数の羽根を、回転軸に対する固定羽根車の複数の羽根の突出側へ変位させ、また当該回転軸に対する固定羽根車の複数の羽根の否突出側へ変位させるための部品側係合部を設けるようにした。
【００５４】
従って本発明では、回転軸に可変羽根車の複数の羽根の位置の制御用として取込用固設部品とは別部品となる係合部を特に設けることなく、可変羽根車に設けた羽根側係合部と取込用固設部品に設けた部品側係合部とにより、回転軸に対して可変羽根車の複数の羽根を、取込繰出路内及び媒体収納空間からの待避用に回転軸に対する固定羽根車の複数の羽根の突出側へ変位させ、また媒体の取込繰出路を介した媒体収納空間への取込用に回転軸に対する固定羽根車の複数の羽根の否突出側へ変化させることができる。
【発明の効果】
【００５５】
本発明によれば、一回転方向へ回転可能に設けられ、媒体を所定の取込繰出路を介して媒体収納空間に取り込むための複数種類の取込用固設部品が固設される回転軸と、回転軸に複数種類の取込用固設部品の１つとして固設され、本体部の外周面の一部に複数の羽根が植設された固定羽根車と、回転軸に一回転方向、及び当該一回転方向とは逆の他回転方向へ回転可能に設けられ、本体部の外周面の一部に複数の羽根が植設されると共に、回転軸に対する当該複数の羽根の位置の制御用として羽根側係合部が設けられた可変羽根車とを設けるようにして、固定羽根車を含む複数種類の取込用固設部品のうちの何れかに、回転軸に対する可変羽根車の回転に応じて羽根側係合部との接触箇所を変えて、当該回転軸に対して可変羽根車の複数の羽根を、回転軸に対する固定羽根車の複数の羽根の突出側へ変位させ、また当該回転軸に対する固定羽根車の複数の羽根の否突出側へ変位させるための部品側係合部を設けるようにしたことにより、回転軸に可変羽根車の複数の羽根の位置の制御用として取込用固設部品とは別部品となる係合部を特に設けることなく、可変羽根車に設けた羽根側係合部と取込用固設部品に設けた部品側係合部とにより、回転軸に対して可変羽根車の複数の羽根を、取込繰出路内及び媒体収納空間からの待避用に回転軸に対する固定羽根車の複数の羽根の突出側へ変位させ、また媒体の取込繰出路を介した媒体収納空間への取込用に回転軸に対する固定羽根車の複数の羽根の否突出側へ変化させることができ、かくして構成を簡易化し得る取込繰出装置、媒体収納庫及び媒体取扱装置を実現することができる。
【図面の簡単な説明】
【００５６】
【図１】本実施の形態による現金自動預払機の外観構成を示す略線的斜視図である。
【図２】現金自動預払機の内部構成を示す略線的斜視図である。
【図３】紙幣処理ユニットの構成を示す略線的側面図である。
【図４】紙幣収納庫の構成（１）を示す略線的側面図である。
【図５】紙幣収納庫の構成（２）を示す略線的正面図である。
【図６】第２回転軸の構成を示す略線的斜視図である。
【図７】可変羽根車の構成を示す略線的斜視図である。
【図８】押上部の構成を示す略線的斜視図である。
【図９】第２回転軸に対する可変羽根車の回転（１）の説明に供する略線的側面図である。
【図１０】第２回転軸に対する可変羽根車の回転（２）の説明に供する略線的側面図である。
【図１１】紙幣取込時の固定羽根車及び可変羽根車の回転（１）の説明に供する略線的側面図である。
【図１２】紙幣取込時の固定羽根車及び可変羽根車の回転（２）の説明に供する略線的側面図である。
【図１３】紙幣収納庫による紙幣の取り込みの説明に供する略線的側面図である。
【図１４】紙幣取込時の押上部による紙幣の押し上げの説明に供する略線的正面図である。
【図１５】紙幣取込時の可変羽根車による紙幣の押し上げの説明に供する略線的正面図である。
【図１６】紙幣収納庫による紙幣の繰り出しの説明に供する略線的側面図である。
【図１７】他の実施の形態による可変羽根車の構成（１）を示す略線的斜視図及び略線的断面図である。
【図１８】他の実施の形態による押上部の構成を示す略線的斜視図である。
【図１９】他の実施の形態による可変羽根車の構成（２）を示す略線的斜視図である。
【図２０】他の実施の形態による紙幣取込時の押上部による紙幣の押し上げの説明に供する略線的正面図である。
【図２１】他の実施の形態による紙幣取込時の可変羽根車による紙幣の押し上げの説明に供する略線的正面図である。
【図２２】従来の取込繰出部に設けられた第２回転軸の構成を示す略線的斜視図である。
【図２３】従来の可変羽根車の構成を示す略線的斜視図である。
【図２４】従来の押上部の構成を示す略線的斜視図である。
【発明を実施するための形態】
【００５７】
以下図面を用いて、発明を実施するための最良の形態（以下、これを実施の形態とも呼ぶ）について説明する。なお、説明は以下の順序で行う。
（１）実施の形態
（２）他の実施の形態
【００５８】
（１）実施の形態
（１−１）現金自動預払機の外観構成
図１において、１は全体として本発明を適用した現金自動預払機の外観構成を示す。係る現金自動預払機１は、上前隅部が切り欠かれたような略Ｌ字箱型の筐体（以下、これを預払機筐体とも呼ぶ）２を有している。
【００５９】
因みに、以下の説明では、現金自動預払機１を、預払機筐体２の切欠部分の下側となる前面２Ａと対峙して見た場合の図中に矢印ａ１で示す左の方向を、預払機左方向とも呼び、当該預払機左方向とは逆の方向を、預払機右方向とも呼ぶ。
【００６０】
そして、以下の説明では、預払機左方向及び預払機右方向を特に区別する必要がない場合、これらをまとめて預払機左右方向とも呼ぶ。
【００６１】
また、以下の説明では、現金自動預払機１を、預払機筐体２の前面２Ａと対峙して見た場合の図中に矢印ｂ１で示す上の方向を、預払機上方向とも呼び、当該預払機上方向とは逆の方向を、預払機下方向とも呼ぶ。
【００６２】
そして、以下の説明では、預払機上方向及び預払機下方向を特に区別する必要がない場合、これらをまとめて預払機上下方向とも呼ぶ。
【００６３】
さらに、以下の説明では、現金自動預払機１を、預払機筐体２の前面２Ａと対峙して見た場合の図中に矢印ｃ１で示す手前の方向を、預払機前方向とも呼び、当該預払機前方向とは逆の方向を、預払機後方向とも呼ぶ。
【００６４】
そして、以下の説明では、預払機前方向及び預払機後方向を特に区別する必要がない場合、これらをまとめて預払機前後方向とも呼ぶ。
【００６５】
預払機筐体２は、前面２Ａの上側の切欠部分に、接客用の略Ｌ字状のパネル（以下、これを接客パネルとも呼ぶ）３が設けられている。
【００６６】
接客パネル３において表面が上側を向く上向パネル３Ａは、例えば、その表面の左後端部に、顧客に入金用の硬貨を投入させ、また出金用の硬貨を取り出させるための略円形状の硬貨投入取出口（以下、これを硬貨口とも呼ぶ）３ＡＸが形成されている。
【００６７】
また上向パネル３Ａは、例えば、その表面の右後端部に、顧客に入金用の紙幣を投入させ、また出金用の紙幣を取り出させるための略長方形状の紙幣投入取出口（以下、これを紙幣口とも呼ぶ）３ＡＹが預払機左右方向と平行に形成されている。
【００６８】
さらに上向パネル３Ａは、例えば、その表面の中央前端部に、取引の手順を案内するための種々の取引手順案内画像の表示及び表面へのタッチ操作が可能なタッチスクリーン４が配置されている。
【００６９】
因みに、預払機筐体２は、上向パネル３Ａの裏面の左後端部に、硬貨口３ＡＸを開放及び閉塞するためのシャッタ（以下、これを硬貨口用シャッタとも呼ぶ）５を有するシャッタ開閉部が配置されている。
【００７０】
また預払機筐体２は、上向パネル３Ａの裏面の右後端部に、紙幣口３ＡＹを開放及び閉塞するためのシャッタ（以下、これを紙幣口用シャッタとも呼ぶ）６を有するシャッタ開閉部が配置されている。
【００７１】
一方、接客パネル３において表面が前側を向く前向パネル３Ｂは、例えば、その表面の中央部の左寄りに、取引の際、通帳を挿入及び排出するための略長方形状の通帳挿入排出口（以下、これを通帳口とも呼ぶ）７が預払機左右方向と平行に形成されている。
【００７２】
また前向パネル３Ｂは、例えば、その表面の中央部の右寄りに、取引の際、キャッシュカードやクレジットカード等のカードを挿入及び排出するための略長方形状のカード挿入排出口（以下、これをカード口とも呼ぶ）８が預払機左右方向と平行に形成されている。
【００７３】
現金自動預払機１は、係る構成のもと、タッチスクリーン４に取引手順案内画像を表示すると共に、顧客によるタッチスクリーン４の表面へのタッチ操作に応じて、当該タッチスクリーン４に表示する取引手順案内画像を適宜切り換える。
【００７４】
そして現金自動預払機１は、タッチスクリーン４に適宜切り換えて表示する取引手順案内画像によって、顧客に硬貨や紙幣の預け入れのような入金や、硬貨や紙幣の払い出しのような出金等の所望の取引の手順を案内する。
【００７５】
これにより現金自動預払機１は、顧客に取引の手順の案内に従って、通帳口７やカード口８に通帳やカードを挿入させる。
【００７６】
そのうえで、現金自動預払機１は、入金の際には顧客に取引の手順の案内に従って、硬貨口３ＡＸや紙幣口３ＡＹに入金用の硬貨や紙幣を投入させる。
【００７７】
また現金自動預払機１は、出金の際には顧客に取引の手順の案内に従って、硬貨口３ＡＸや紙幣口３ＡＹから出金用の硬貨や紙幣を取り出させる。
【００７８】
そして現金自動預払機１は、通帳口７やカード口８から通帳やカードを排出するようにして、顧客に取引の手順の案内に従って、その通帳やカードを受け取らせる。
【００７９】
このようにして現金自動預払機１は、顧客が所望する現金（すなわち、硬貨や紙幣）の入金や出金等の取引を行うことができる。
【００８０】
（１−２）現金自動預払機の内部構成
次いで、現金自動預払機１の内部構成について説明する。因みに、以下には、現金自動預払機１の内部構成として便宜上、現金としての紙幣の入金及び出金に関する構成について説明し、現金としての硬貨の入金及び出金に関する構成については説明を省略する。
【００８１】
図２に示すように、現金自動預払機１の預払機筐体２は、上向パネル３Ａの位置よりも下側の左下隅部に、当該現金自動預払機１全体を統括制御する制御ユニット１０が収納されている。
【００８２】
また預払機筐体２は、上向パネル３Ａの位置よりも下側の右下端部に、制御ユニット１０の制御のもと、紙幣の入金処理及び出金処理を実行する紙幣処理ユニット１１が収納されている。
【００８３】
図３に示すように、紙幣処理ユニット１１は、略箱型の筐体（以下、これをユニット筐体とも呼ぶ）１２を有している。
【００８４】
そしてユニット筐体１２内には、上述した紙幣口用シャッタ６を有するシャッタ開閉部１３の真下となる例えば上前隅部に、紙幣口３ＡＹを介して顧客から入金用の紙幣を受け取り、また顧客に出金用の紙幣を引き渡すための紙幣受渡部１４が配置されている。
【００８５】
またユニット筐体１２内には、例えば、紙幣受渡部１４の後斜め下に、紙幣の金種や状態等を鑑別するための鑑別部１５が配置されている。
【００８６】
さらにユニット筐体１２内には、例えば、鑑別部１５の後斜め上に、入金時に紙幣を保持して、その入金を一時的に保留するための一時保留部１６が配置されている。
【００８７】
さらにユニット筐体１２内には、例えば、一時保留部１６の下に、破損している紙幣や折れ曲がっている紙幣等のような異常な紙幣を収納するための紙幣収納庫１７が収納されている。
【００８８】
因みに、以下の説明では、破損している紙幣や折れ曲がっている紙幣等のような異常な紙幣を、適宜、入金用及び出金用の紙幣とは区別してリジェクト紙幣とも呼ぶ。
【００８９】
また、以下の説明では、リジェクト紙幣を収納するための紙幣収納庫１７を、特にリジェクト庫１７とも呼ぶ。
【００９０】
さらにまたユニット筐体１２内には、例えば、下端部（すなわち、紙幣受渡部１４、鑑別部１５及びリジェクト庫１７の下側）に、入出金用の複数の紙幣を金種別に収納する（すなわち、それぞれ特定の１金種の紙幣を収納する）ための複数の紙幣収納庫１８乃至２２が前から後へ順に並べるようにして固設されている。
【００９１】
これに加えてユニット筐体１２内には、上前端部において紙幣受渡部１４と鑑別部１５との間に、搬送ガイドや搬送ローラ、搬送方向切換ブレード、搬送用モータ等の複数種類の搬送路形成部品を有する搬送部（以下、これを前側搬送部とも呼ぶ）２５が配置されている。
【００９２】
前側搬送部２５は、複数種類の搬送路形成部品により、紙幣を、搬送先を適宜切り換えて搬送するための搬送路（以下、これを前側紙幣搬送路とも呼ぶ）２５Ａを形成している。そして前側紙幣搬送路２５Ａは、紙幣受渡部１４及び鑑別部１５に接続されている。
【００９３】
またユニット筐体１２内には、上端部において紙幣受渡部１４、鑑別部１５、一時保留部１６及びリジェクト庫１７の間に、搬送ガイドや搬送ローラ、搬送方向切換ブレード、搬送用モータ等の複数種類の搬送路形成部品を有する搬送部（以下、これを上側搬送部とも呼ぶ）２６が配置されている。
【００９４】
上側搬送部２６は、複数種類の搬送路形成部品により、紙幣を、搬送先を適宜切り換えて搬送するための搬送路（以下、これを上側紙幣搬送路とも呼ぶ）２６Ａを形成している。
【００９５】
そして上側紙幣搬送路２６Ａは、紙幣受渡部１４、鑑別部１５、一時保留部１６及びリジェクト庫１７に接続されている。
【００９６】
さらにユニット筐体１２内には、中央部において鑑別部１５、リジェクト庫１７、前側搬送部２５及び上側搬送部２６と、複数の紙幣収納庫１８乃至２２との間に、搬送ガイドや搬送ローラ、搬送方向切換ブレード、搬送用モータ等の複数種類の搬送路形成部品を有する搬送部（以下、これを中央搬送部とも呼ぶ）２７が配置されている。
【００９７】
中央搬送部２７は、複数種類の搬送路形成部品により、紙幣を、搬送先を適宜切り換えて搬送するための搬送路（以下、これを中央紙幣搬送路とも呼ぶ）２７Ａを形成している。
【００９８】
そして中央紙幣搬送路２７Ａは、前側紙幣搬送路２５Ａ、上側紙幣搬送路２６Ａ及び複数の紙幣収納庫１８乃至２２に接続されている。
【００９９】
ところで、前側搬送部２５、上側搬送部２６及び中央搬送部２７は、前側紙幣搬送路２５Ａ、上側紙幣搬送路２６Ａ及び中央紙幣搬送路２７Ａを介して長方形の紙幣を例えば、一方の短辺を左側に位置させ、かつ他方の短辺を右側に位置させて（すなわち、紙幣の長手方向を預払機左右方向とほぼ平行にして）一方の長辺を搬送方向に向けた搬送姿勢で搬送している。
【０１００】
なお、以下の説明では、紙幣の長手方向（すなわち、紙幣の長辺と平行な方向）を、紙幣長手方向とも呼び、当該紙幣の短手方向（すなわち、紙幣の短辺と平行な方向）を、紙幣短手方向とも呼ぶ。
【０１０１】
よって紙幣処理ユニット１１は、紙幣受渡部１４、鑑別部１５、一時保留部１６、リジェクト庫１７及び複数の紙幣収納庫１８乃至２２において紙幣を、その搬送姿勢に応じて一方の短辺を左側に位置させ、かつ他方の短辺を右側に位置させた（すなわち、紙幣長手方向を預払機左右方向とほぼ平行にした）姿勢で取り扱っている。
【０１０２】
実際に制御ユニット１０は、紙幣の入金時、シャッタ開閉部１３により紙幣口用シャッタ６を開いて、顧客に紙幣口３ＡＹへ入金用の紙幣を投入するように促す。
【０１０３】
この際、制御ユニット１０は、顧客により紙幣口３ＡＹに１又は複数の入金用の紙幣が投入されると、その入金用の紙幣を紙幣受渡部１４で受け取り、当該紙幣受渡部１４から、その入金用の紙幣を１枚ずつ繰り出す。
【０１０４】
また制御ユニット１０は、紙幣受渡部１４から１枚ずつ繰り出した紙幣を、前側紙幣搬送路２５Ａを介して鑑別部１５へ搬送して、当該鑑別部１５において、その紙幣の金種や状態等を鑑別させる。
【０１０５】
その結果、制御ユニット１０は、鑑別部１５から正常であると鑑別されて繰り出された紙幣については、上側紙幣搬送路２６Ａを介して一時保留部１６へ搬送して一時的に保持させることにより、当該紙幣の入金を保留する。
【０１０６】
また制御ユニット１０は、鑑別部１５から破損や折れ等により異常であると鑑別されて繰り出された紙幣については、リジェクト紙幣として上側紙幣搬送路２６Ａを介して紙幣受渡部１４へ戻すように搬送する。
【０１０７】
そして制御ユニット１０は、シャッタ開閉部１３により紙幣口用シャッタ６を開いて、顧客に紙幣口３ＡＹを介して紙幣受渡部１４からリジェクト紙幣を取り出させるようにして返却する。
【０１０８】
このようにして制御ユニット１０は、鑑別部１５において、紙幣口３ＡＹに投入された入金用の紙幣が全て鑑別されると、正常であると鑑別された紙幣の総額（すなわち、入金の金額）を、タッチスクリーン４を介して顧客に提示する。
【０１０９】
その結果、制御ユニット１０は、入金の金額を確認した顧客によりタッチスクリーン４を介して紙幣の入金が指示されると、一時保留部１６から一時的に保持していた紙幣を１枚ずつ繰り出す。
【０１１０】
この際、制御ユニット１０は、一時保留部１６から１枚ずつ繰り出した紙幣を、上側紙幣搬送路２６Ａを介して鑑別部１５へ搬送して、当該鑑別部１５において再び、その紙幣の金種や状態等を鑑別させる。
【０１１１】
そして制御ユニット１０は、鑑別部１５から正常であると鑑別されて繰り出された紙幣については、前側紙幣搬送路２５Ａ及び中央紙幣搬送路２７Ａを順次介して当該紙幣の金種に応じた紙幣収納庫１８乃至２２へ搬送して収納する。
【０１１２】
ただし、制御ユニット１０は、この際、鑑別部１５から異常であると鑑別されて繰り出された紙幣については、リジェクト紙幣として前側紙幣搬送路２５Ａ、中央紙幣搬送路２７Ａ及び上側紙幣搬送路２６Ａを順次介してリジェクト庫１７へ搬送して収納することにより、その後の出金には用いないようにする。
【０１１３】
このようにして制御ユニット１０は、紙幣処理ユニット１１において紙幣の入金処理を実行して、顧客の所望する取引としての紙幣の入金を行うことができる。
【０１１４】
一方、制御ユニット１０は、紙幣の出金時、例えば、顧客によりタッチスクリーン４を介して出金の金額が指定されると、複数の紙幣収納庫１８乃至２２から、顧客により指定された金額分の紙幣を１枚ずつ繰り出す。
【０１１５】
この際、制御ユニット１０は、複数の紙幣収納庫１８乃至２２から１枚ずつ繰り出した紙幣を、中央紙幣搬送路２７Ａ及び前側紙幣搬送路２５Ａを順次介して鑑別部１５へ搬送して、当該鑑別部１５において紙幣の金種や状態等を鑑別させる。
【０１１６】
その結果、制御ユニット１０は、鑑別部１５から正常であると鑑別されて繰り出された紙幣については、上側紙幣搬送路２６Ａを介して紙幣受渡部１４へ搬送する。
【０１１７】
ただし、制御ユニット１０は、この際、鑑別部１５から異常であると鑑別されて繰り出された紙幣については、リジェクト紙幣として上側紙幣搬送路２６Ａを介してリジェクト庫１７へ搬送して収納することにより、その後の出金には用いないようにする。
【０１１８】
そして制御ユニット１０は、紙幣受渡部１４へ、出金用に指定された金額分の紙幣を搬送し終えると、シャッタ開閉部１３により紙幣口用シャッタ６を開く。
【０１１９】
これにより制御ユニット１０は、顧客に紙幣口３ＡＹを介して紙幣受渡部１４から、その出金用に指定された金額分の紙幣を取り出させるようにして引き渡す。
【０１２０】
このようにして制御ユニット１０は、紙幣処理ユニット１１において紙幣の出金処理を実行して、顧客の所望する取引としての紙幣の出金を行うことができる。
【０１２１】
（１−３）紙幣収納庫の構成
次いで、複数の紙幣収納庫１８乃至２２の構成について説明する。ただし、複数の紙幣収納庫１８乃至２２は、同様に構成されている。
【０１２２】
このため、以下には、１つの紙幣収納庫１８の構成について説明し、他の紙幣収納庫１９乃至２２の構成については説明を省略する。
【０１２３】
図４及び図５に示すように、紙幣収納庫１８は、略箱型の筐体（以下、これを収納庫筐体とも呼ぶ）３０を有している。
【０１２４】
収納庫筐体３０は、例えば、預払機左右方向に長い略長方形平板状の底板３０Ａを有し、当該底板３０Ａの幅（すなわち、預払機左右方向の長さ）が、現金自動預払機１の扱う種々の大きさの紙幣のうち最も長辺の長い紙幣（以下、これを長辺最長紙幣とも呼ぶ）の当該長辺よりも長い所定長さに選定されている。
【０１２５】
また収納庫筐体３０は、底板３０Ａの奥行（すなわち、預払機前後方向の長さ）が、現金自動預払機１の扱う種々の大きさの紙幣のうち最も短辺の長い紙幣（以下、これを短辺最長紙幣とも呼ぶ）の当該短辺よりも長い所定長さに選定されている。
【０１２６】
さらに収納庫筐体３０は、例えば、預払機上下方向に長い略長方形平板状の左側板３０Ｂ及び右側板３０Ｃも有し、当該左側板３０Ｂ及び右側板３０Ｃの高さ（すなわち、預払機上下方向の長さ）が所定長さに選定されている。
【０１２７】
また収納庫筐体３０は、左側板３０Ｂ及び右側板３０Ｃの奥行（すなわち、預払機前後方向の長さ）が、底板３０Ａの奥行よりも長い所定長さに選定されている。
【０１２８】
そして収納庫筐体３０は、左側板３０Ｂが、その前端を底板３０Ａの前端と面一にし、かつ後端部を当該底板３０Ａの後端よりも後へ突出させて、下端の前側の部分を底板３０Ａの左端に接合するようにして設けられている。
【０１２９】
また収納庫筐体３０は、右側板３０Ｃが、その前端を底板３０Ａの前端と面一にし、かつ後端部を当該底板３０Ａの後端よりも後へ突出させて、下端の前側の部分を底板３０Ａの右端に接合するようにして設けられている。
【０１３０】
さらに収納庫筐体３０は、例えば、預払機上下方向に長い略長方形平板状の前板３０Ｄも有し、当該前板３０Ｄの幅（すなわち、預払機左右方向の長さ）が、底板３０Ａの幅とほぼ等しい所定長さに選定されている。
【０１３１】
また収納庫筐体３０は、前板３０Ｄの高さ（すなわち、預払機上下方向の長さ）が、左側板３０Ｂ及び右側板３０Ｃの高さとほぼ等しい所定長さに選定されている。
【０１３２】
そして収納庫筐体３０は、前板３０Ｄが、その下端を底板３０Ａの前端に接合すると共に、左端及び右端を左側板３０Ｂ及び右側板３０Ｃの前端に接合するようにして設けられている。
【０１３３】
さらに収納庫筐体３０は、例えば、預払機上下方向に長い略長方形平板状の後板３０Ｅも有し、当該後板３０Ｅの幅（すなわち、預払機左右方向の長さ）が、底板３０Ａの横幅とほぼ等しい所定長さに選定されている。
【０１３４】
また収納庫筐体３０は、後板３０Ｅの高さ（すなわち、預払機上下方向の長さ）が、前板３０Ｄの高さよりも僅かに低い所定長さに選定されている。
【０１３５】
そして収納庫筐体３０は、後板３０Ｅが、前板３０Ｄと平行な姿勢で下端を底板３０Ａの後端に接合すると共に、左端及び右端を左側板３０Ｂ及び右側板３０Ｃの対向位置に接合するようにして設けられている。
【０１３６】
これにより収納庫筐体３０は、底板３０Ａの真上に左側板３０Ｂの前端部、右側板３０Ｃの前端部、前板３０Ｄ及び後板３０Ｅによって囲まれた預払機上下方向に長い略直方体状の紙幣収納空間を形成している。
【０１３７】
そして紙幣収納庫１８は、紙幣収納空間に複数の紙幣を収納するための収納部３１が設けられている。
【０１３８】
また紙幣収納庫１８は、中央紙幣搬送路２７Ａを介して搬送される紙幣を紙幣収納空間に取り込み、また当該紙幣収納空間から紙幣を中央紙幣搬送路２７Ａへ繰り出すための取込繰出部３２が設けられている。
【０１３９】
収納部３１は、収納庫筐体３０が形成する紙幣収納空間で、一面３５Ａに紙幣を順に重ねるように載上するための例えば、略長方形平板状のステージ３５を有している。
【０１４０】
ステージ３５は、一面３５Ａの大きさが、現金自動預払機１の扱う種々の大きさの紙幣の何れも載上可能なように例えば、最も大きい紙幣の一面の大きさよりも僅かに大きい所定の大きさに選定されている。
【０１４１】
すなわち、ステージ３５は、その長手方向（以下、これをステージ長手方向とも呼ぶ）の長さが、現金自動預払機１の扱う種々の大きさの紙幣のうち長辺最長紙幣の長辺よりも僅かに長い所定長さに選定されている。
【０１４２】
またステージ３５は、その短手方向（以下、これをステージ短手方向とも呼ぶ）の長さが、現金自動預払機１の扱う種々の大きさの紙幣のうち短辺最長紙幣の短辺よりも僅かに長い所定長さに選定されている。
【０１４３】
そしてステージ３５は、紙幣収納空間にステージ長手方向を預払機左右方向と平行にし、かつ一面３５Ａを預払機上方向へ向けて水平にした姿勢で収納されている。
【０１４４】
また収納部３１は、ステージ３５を昇降させるための、図示しない駆動モータ（以下、これをステージ駆動モータとも呼ぶ）や図示しない所定のステージ昇降部も有している。
【０１４５】
これにより制御ユニット１０は、紙幣取込時や紙幣繰出時、収納部３１においてステージ駆動モータを動作させることで、ステージ昇降部を介して紙幣収納空間でステージ３５を、その一面３５Ａを預払機上方向へ向けて水平にした姿勢のまま上昇及び下降させる（すなわち、預払機上方向及び預払機下方向へ移動させる）ことができる。
【０１４６】
さらに収納部３１は、ステージ３５の一面３５Ａに載上された紙幣のうち最も上に位置する紙幣（以下、これを最上位紙幣とも呼ぶ）が例えば、紙幣取込位置に到達したか否かを光学的に検出するための発光素子及び受光素子からなる紙幣到達検出部３６が設けられている。
【０１４７】
これにより制御ユニット１０は、例えば、紙幣取込時、紙幣到達検出部３６を介して最上位紙幣が紙幣取込位置に到達したか否かを検出し、その検出結果に応じてステージ駆動モータを制御してステージ３５の位置を紙幣の取込用に調整することができる。
【０１４８】
一方、取込繰出部３２は、一対の搬送ガイド４０、４１を有している。因みに、以下の説明では、一対の搬送ガイド４０、４１のうち、一方の搬送ガイド４０を、第１搬送ガイド４０とも呼び、他方の搬送ガイド４１を、第２搬送ガイド４１とも呼ぶ。
【０１４９】
第１搬送ガイド４０は、例えば、略Ｓ字板状に形成され、その幅が収納庫筐体３０の底板３０Ａの幅とほぼ等しい所定長さに選定されている。
【０１５０】
また第２搬送ガイド４１は、例えば、略Ｊ字板状に形成され、その幅が収納庫筐体３０の底板３０Ａの幅とほぼ等しい所定長さに選定されている。
【０１５１】
そして第１搬送ガイド４０は、例えば、収納庫筐体３０の左側板３０Ｂの後上端部と右側板３０Ｃの後上端部との間に、当該第１搬送ガイド４０の一端を左側板３０Ｂ及び右側板３０Ｃの後上隅近傍に位置させ、かつ他端を収納庫筐体３０の後板３０Ｅの上端に接触させるようにして設けられている。
【０１５２】
また第２搬送ガイド４１は、例えば、収納庫筐体３０の左側板３０Ｂの後上端部と右側板３０Ｃの後上端部との間に、当該第２搬送ガイド４１の一端を第１搬送ガイド４０の一端よりも前側に位置させ、かつ他端を第１搬送ガイド４０の他端の上側に位置させるようにして設けられている。
【０１５３】
すなわち、第１搬送ガイド４０及び第２搬送ガイド４１は、収納庫筐体３０の左側板３０Ｂの後上端部と右側板３０Ｃの後上端部との間に、互いの一面を所定の隙間を空けて近接させるようにして設けられている。
【０１５４】
これにより取込繰出部３２は、収納庫筐体３０の左側板３０Ｂの後上端部と右側板３０Ｃの後上端部との間に、第１搬送ガイド４０及び第２搬送ガイド４１により、中央紙幣搬送路２７Ａと紙幣収納空間とを繋いで紙幣を取込及び繰出用に搬送するための取込繰出路４２を形成している。
【０１５５】
因みに、以下の説明では、取込繰出路４２において紙幣収納庫１８の外部の中央紙幣搬送路２７Ａ側の一方の開口部を、外側開口部とも呼び、当該紙幣収納庫１８の内部の紙幣収納空間側の他方の開口部を、内側開口部とも呼ぶ。
【０１５６】
また取込繰出部３２は、例えば、収納庫筐体３０の底板３０Ａの幅よりも長い所定長さの２本の回転軸４３、４４を有している。
【０１５７】
因みに、以下の説明では、収納庫筐体３０の底板３０Ａの幅よりも長い所定長さの２本の回転軸４３、４４のうち一方の回転軸４３を、第１回転軸４３とも呼び、他方の回転軸４４を、第２回転軸４４とも呼ぶ。
【０１５８】
さらに取込繰出部３２は、例えば、収納庫筐体３０の底板３０Ａの幅とほぼ等しい長さの回転軸４５を有していると共に、当該底板３０Ａの幅よりも短い所定長さの２本の回転軸４６（一方のみ図示し、他方は図示せず）も有している。
【０１５９】
因みに、以下の説明では、収納庫筐体３０の底板３０Ａの幅とほぼ等しい長さの回転軸４５を、第３回転軸４５とも呼ぶ。
【０１６０】
また、以下の説明では、例えば、収納庫筐体３０の底板３０Ａの幅よりも短い所定長さの２本の回転軸４６のうち一方の回転軸４６を、第４回転軸４６とも呼び、他方の回転軸を、第５回転軸とも呼ぶ。
【０１６１】
そして取込繰出部３２は、例えば、収納庫筐体３０の左側板３０Ｂの後上端部の内面及び右側板３０Ｃの後上端部の内面において第２搬送ガイド４１の他端部の上側近傍に対向配置された一対の第１軸受部（図示せず）を有している。
【０１６２】
また収納庫筐体３０の例えば、左側板３０Ｂは、第１軸受部に対応させて第１軸挿通孔部（図示せず）が穿設されている。
【０１６３】
これにより第１回転軸４３は、収納庫筐体３０により一対の第１軸受部を介して預払機左右方向と平行な姿勢で、図中に矢印ｄ１で示す一回転方向、及びこれとは逆の他回転方向へ回転可能に支持されると共に、一端部を第１軸挿通孔部に通して左側板３０Ｂの左側に突出させている。
【０１６４】
また第１回転軸４３は、例えば、収納庫筐体３０の左側板３０Ｂ及び右側板３０Ｃ間の中心から左右へ等間隔の所定位置に、紙幣取込繰出用の２個のローラ（以下、これらをフィードローラとも呼ぶ）５０、５１が固設されている。
【０１６５】
すなわち、第１回転軸４３は、２個のフィードローラ５０、５１各々の中心に穿設された孔部に挿入された状態で、これら２個のフィードローラ５０、５１が当該第１回転軸４３と一体に回転するように固設されている。
【０１６６】
２個のフィードローラ５０、５１は、所定の等しい幅を有すると共に、所定の等しい外径を有し、例えば、それぞれ外周面において幅方向の一端部及び他端部に当該外周面の一周に亘る凹部が形成されている。
【０１６７】
そして２個のフィードローラ５０、５１は、それぞれ外周面において下側の所定部分を、当該所定部分に対応させて第２搬送ガイド４１に穿設された孔部（図示せず）を介して取込繰出路４２内に入り込ませている。
【０１６８】
さらに第１回転軸４３は、例えば、収納庫筐体３０の左側板３０Ｂ及び右側板３０Ｃ間において左側のフィードローラ５０のさらに左側、及び右側のフィードローラ５１のさらに右側にそれぞれ所定の間隔を空けて、紙幣の取込及び繰出を補助するためのローラ（以下、これらを補助ローラとも呼ぶ）５２、５３が固設されている。
【０１６９】
すなわち、第１回転軸４３は、２個の補助ローラ５２、５３各々の中心に穿設された孔部に挿入された状態で、これら２個の補助ローラ５２、５３が当該第１回転軸４３と一体に回転するように固設されている。
【０１７０】
２個の補助ローラ５２、５３は、第１回転軸４３に対する固設位置が、例えば、現金自動預払機１の扱う種々の大きさの紙幣のうち、最も長辺の短い紙幣（以下、これを長辺最短紙幣とも呼ぶ）の当該長辺の長さを基準にして適宜選定されている。
【０１７１】
すなわち、２個の補助ローラ５２、５３は、取込繰出路４２を介して長辺最短紙幣が搬送される場合でも、搬送中の長辺最短紙幣の一面において紙幣長手方向の一端部及び他端部（すなわち、一対の短辺よりも内側の所定位置）と対向するように、第１回転軸４３に対する固設位置が選定されている。
【０１７２】
また２個の補助ローラ５２、５３は、所定の等しい幅を有すると共に、フィードローラ５０、５１の外径（すなわち、外周面の凸部の外径）と等しい外径を有している。
【０１７３】
そして２個の補助ローラ５２、５３も、それぞれ外周面において下側の所定部分を、当該所定部分に対応させて第２搬送ガイド４１に穿設された孔部（図示せず）を介して取込繰出路４２内に入り込ませている。
【０１７４】
このようにして取込繰出部３２には、２個のフィードローラ５０、５１及び２個の補助ローラ５２、５３が、それぞれ取込繰出路４２内に下側の所定部分を入り込ませた状態で、第１回転軸４３と一体に一回転方向及び他回転方向へ回転可能に設けられている。
【０１７５】
また取込繰出部３２は、例えば、収納庫筐体３０の左側板３０Ｂの後上端部の内面及び右側板３０Ｃの後上端部の内面において第１回転軸４３のほぼ真下となる、第１搬送ガイド４０の他端部の下側に対向配置された一対の第２軸受部（図示せず）を有している。
【０１７６】
さらに収納庫筐体３０の例えば、左側板３０Ｂは、第２軸受部に対応させて第２軸挿通孔部（図示せず）が穿設されている。
【０１７７】
これにより第２回転軸４４は、収納庫筐体３０により一対の第２軸受部を介して預払機左右方向と平行な姿勢で、一回転方向及び他回転方向へ回転可能に支持されると共に、一端部を第２軸挿通孔部に通して左側板３０Ｂの左側に突出させている。
【０１７８】
第２回転軸４４は、例えば、収納庫筐体３０の左側板３０Ｂ及び右側板３０Ｃ間の部分において２個のフィードローラ５０、５１と対向する位置に、紙幣取込用の２個のローラ（以下、これらを取込ローラとも呼ぶ）５５、５６が固設されている。
【０１７９】
すなわち、第２回転軸４４は、２個の取込ローラ５５、５６各々の中心に穿設された孔部に挿入された状態で、これら２個の取込ローラ５５、５６が当該第２回転軸４４と一体に回転するように固設されている。
【０１８０】
２個の取込ローラ５５、５６は、例えば、フィードローラ５０、５１の幅よりも狭い所定の等しい幅を有している。
【０１８１】
また２個の取込ローラ５５、５６は、例えば、所定の等しい外径を有し、それぞれ外周面において幅方向の中央部に当該外周面の一周に亘る凹部が形成されている。
【０１８２】
そして２個の取込ローラ５５、５６は、それぞれ外周面において上側の所定部分を、当該所定部分に対応させて第１搬送ガイド４０に穿設された孔部（図示せず）を介して取込繰出路４２内に入り込ませている。
【０１８３】
これにより取込繰出部３２は、取込繰出路４２内で、２個のフィードローラ５０、５１の外周面の凹部及び凸部に、２個の取込ローラ５５、５６の外周面の対向する凸部及び凹部を非接触の状態で僅かに嵌合させている。
【０１８４】
このようにして取込繰出部３２には、２個の取込ローラ５５、５６が、それぞれ取込繰出路４２内に上側の所定部分を入り込ませた状態で、第２回転軸４４と一体に一回転方向及び他回転方向へ回転可能に設けられている。
【０１８５】
ところで、第２回転軸４４は、例えば、収納庫筐体３０の左側板３０Ｂ及び右側板３０Ｃ間において左側の取込ローラ５５のさらに左側、及び右側の取込ローラ５６のさらに右側に、それぞれ３個の羽根車５７乃至６２が所定の間隔で設けられている。
【０１８６】
この場合、第２回転軸４４は、例えば、左側のフィードローラ５０及び補助ローラ５２の間と対向する所定位置に、左側の取込ローラ５５から左側へ１個目の羽根車５７が固設されている。
【０１８７】
また第２回転軸４４は、例えば、左側の補助ローラ５２と対向する位置から僅かに左寄りの所定位置に、左側の取込ローラ５５から左側へ２個目の羽根車５８が一回転方向及び他回転方向へ回転可能に設けられている。
【０１８８】
すなわち、左側の取込ローラ５５から左側へ２個目の羽根車５８は、第２回転軸４４に対し例えば、取込繰出路４２を介して長辺最短紙幣が搬送される場合でも、搬送中の長辺最短紙幣の他面（すなわち、下側へ向いている面）において紙幣長手方向の一端部（すなわち、左側の短辺よりも内側の所定位置）と対向するような所定位置に設けられている。
【０１８９】
さらに第２回転軸４４は、例えば、左側の補助ローラ５２の左斜め下側となる所定位置に、左側の取込ローラ５５から左側へ３個目の羽根車５９が固設されている。
【０１９０】
このようにして第２回転軸４４は、左側の取込ローラ５５のさらに左側に２個の羽根車５７、５９が、これらの中心に穿設された孔部を介して当該第２回転軸４４と一体に回転するように固設されている。
【０１９１】
また第２回転軸４４は、左側の取込ローラ５５のさらに左側において当該第２回転軸４４に固設された２個の羽根車５７、５９の間に、１個の羽根車５８が、その中心に穿設された孔部を介して一回転方向及び他回転方向へ回転可能に設けられている。
【０１９２】
一方、第２回転軸４４は、例えば、右側のフィードローラ５１及び補助ローラ５３の間と対向する所定位置に、右側の取込ローラ５６から右側へ１個目の羽根車６０が固設されている。
【０１９３】
また第２回転軸４４は、例えば、右側の補助ローラ５３と対向する位置から僅かに右寄りの所定位置に、右側の取込ローラ５６から右側へ２個目の羽根車６１が一回転方向及び他回転方向へ回転可能に設けられている。
【０１９４】
すなわち、右側の取込ローラ５６から右側へ２個目の羽根車６１は、第２回転軸４４に対し例えば、取込繰出路４２を介して長辺最短紙幣が搬送される場合でも、搬送中の長辺最短紙幣の他面において紙幣長手方向の他端部（すなわち、右側の短辺よりも内側の所定位置）と対向するような所定位置に設けられている。
【０１９５】
さらに第２回転軸４４は、例えば、右側の補助ローラ５３の右斜め下側となる所定位置に、右側の取込ローラ５６から右側へ３個目の羽根車６２が固設されている。
【０１９６】
このようにして第２回転軸４４は、右側の取込ローラ５６のさらに右側に２個の羽根車６０、６２が、これらの中心に穿設された孔部を介して当該第２回転軸４４と一体に回転するように固設されている。
【０１９７】
また第２回転軸４４は、右側の取込ローラ５６のさらに右側において当該第２回転軸４４に固設された２個の羽根車６０、６２の間に、１個の羽根車６１が、その中心に穿設された孔部を介して一回転方向及び他回転方向へ回転可能に設けられている。
【０１９８】
ここで、第２回転軸４４に固設された４個の羽根車５７、５９、６０、６２は、それぞれ環状の本体部５７Ａ、５９Ａ、６０Ａ、６２Ａを有している。
【０１９９】
また４個の羽根車５７、５９、６０、６２は、それぞれ本体部５７Ａ、５９Ａ、６０Ａ、６２Ａの外周面において１８０度以下の所定の角度範囲に、弾性を有する短冊状の複数の羽根５７Ｂ、５９Ｂ、６０Ｂ、６２Ｂが所定の等間隔で放射状に突出するように植設されている。
【０２００】
すなわち、４個の羽根車５７、５９、６０、６２は、本体部５７Ａ、５９Ａ、６０Ａ、６２Ａの外周面の一部に複数の羽根５７Ｂ、５９Ｂ、６０Ｂ、６２Ｂが植設されている。
【０２０１】
そして４個の羽根車５７、５９、６０、６２は、第２回転軸４４に固設されているため、当該第２回転軸４４に対する複数の羽根５７Ｂ、５９Ｂ、６０Ｂ、６２Ｂの位置が固定されている。
【０２０２】
よって、以下の説明では、第２回転軸４４に固設され、その第２回転軸４４に対する複数の羽根５７Ｂ、５９Ｂ、６０Ｂ、６２Ｂの位置が固定された４個の羽根車５７、５９、６０、６２を、それぞれ固定羽根車５７、５９、６０、６２とも呼ぶ。
【０２０３】
実際に４個の固定羽根車５７、５９、６０、６２は、第２回転軸４４に、各々の複数の羽根５７Ｂ、５９Ｂ、６０Ｂ、６２Ｂの植設位置をほぼ合わせて（すなわち、各々の複数の羽根５７Ｂ、５９Ｂ、６０Ｂ、６２Ｂをほぼ同一の方向へ突出させて）固設されている。
【０２０４】
そして４個の固定羽根車５７、５９、６０、６２は、本体部５７Ａ、５９Ａ、６０Ａ、６２Ａが所定の等しい幅を有すると共に、取込ローラ５５、５６の外径（すなわち、外周面の凸部の外径）よりも小さい所定の等しい外径を有している。
【０２０５】
また４個の固定羽根車５７、５９、６０、６２は、例えば、複数の羽根５７Ｂ、５９Ｂ、６０Ｂ、６２Ｂが所定の等しい長さを有している。
【０２０６】
ただし、４個の固定羽根車５７、５９、６０、６２は、第２回転軸４４と共に回転した際に複数の羽根５７Ｂ、５９Ｂ、６０Ｂ、６２Ｂの先端の軌跡が描く円の直径が、取込ローラ５５、５６の外径（すなわち、外周面の凸部の外径）よりも大きくなるように、これら複数の羽根５７Ｂ、５９Ｂ、６０Ｂ、６２Ｂの長さが適宜選定されている。
【０２０７】
すなわち、４個の固定羽根車５７、５９、６０、６２は、本体部５７Ａ、５９Ａ、６０Ａ、６２Ａの中心から複数の羽根５７Ｂ、５９Ｂ、６０Ｂ、６２Ｂの先端までの長さが、取込ローラ５５、５６の外径よりも長い所定長さとなるように、これら複数の羽根５７Ｂ、５９Ｂ、６０Ｂ、６２Ｂの長さが適宜選定されている。
【０２０８】
そして４個の固定羽根車５７、５９、６０、６２は、第２回転軸４４と共に回転した場合、複数の羽根５７Ｂ、５９Ｂ、６０Ｂ、６２Ｂの先端部を、当該複数の羽根５７Ｂ、５９Ｂ、６０Ｂ、６２Ｂの軌跡に対応させて第１搬送ガイド４０に穿設された孔部（図示せず）を介して適宜、取込繰出路４２内に入り込ませている。
【０２０９】
また４個の固定羽根車５７、５９、６０、６２は、第２回転軸４４と共に回転した場合、複数の羽根５７Ｂ、５９Ｂ、６０Ｂ、６２Ｂの先端部を、当該複数の羽根５７Ｂ、５９Ｂ、６０Ｂ、６２Ｂの軌跡に対応させて収納庫筐体３０の後板３０Ｅに穿設された孔部（図示せず）を介して適宜、紙幣収納空間に入り込ませている。
【０２１０】
一方、第２回転軸４４に回転可能に設けられた２個の羽根車５８、６１は、それぞれ環状の本体部５８Ａ、６１Ａを有している。
【０２１１】
また２個の羽根車５８、６１は、本体部５８Ａ、６１Ａの外周面において１８０度以下の所定の角度範囲に、弾性を有する短冊状の複数の羽根５８Ｂ、６１Ｂが所定の等間隔で放射状に突出するように植設されている。
【０２１２】
すなわち、２個の羽根車５８、６１も、４個の固定羽根車５７、５９、６０、６２と同様に、本体部５８Ａ、６１Ａの外周面の一部に複数の羽根５８Ｂ、６１Ｂが植設されている。
【０２１３】
そして２個の羽根車５８、６１は、第２回転軸４４に対して回転し得るため、その第２回転軸４４に対する複数の羽根５８Ｂ、６１Ｂの位置を変化させることができる。
【０２１４】
よって、以下の説明では、第２回転軸４４に回転可能に設けられ、その第２回転軸４４に対する複数の羽根５８Ｂ、６１Ｂの位置を変化可能な２個の羽根車５８、６１を、それぞれ可変羽根車５８、６１とも呼ぶ。
【０２１５】
２個の可変羽根車５８、６１は、本体部５８Ａ、６１Ａが、例えば、固定羽根車５７、５９、６０、６２の本体部５７Ａ、５９Ａ、６０Ａ、６２Ａの幅及び外径と等しい幅及び外径を有している。
【０２１６】
また２個の可変羽根車５８、６１は、例えば、複数の羽根５５Ｂ、６１Ｂが、固定羽根車５７、５９、６０、６２の複数の羽根５７Ｂ、５９Ｂ、６０Ｂ、６２Ｂの長さと等しい長さを有している。
【０２１７】
そして２個の可変羽根車５８、６１は、第２回転軸４４を中心にして回転した場合、複数の羽根５８Ｂ、６１Ｂの先端部を、当該複数の羽根５８Ｂ、６１Ｂの軌跡に対応させて第１搬送ガイド４０に穿設された孔部（図示せず）を介して適宜、取込繰出路４２内に入り込ませている。
【０２１８】
また２個の可変羽根車５８、６１は、第２回転軸４４を中心にして回転した場合、複数の羽根５８Ｂ、６１Ｂの先端部を、当該複数の羽根５８Ｂ、６１Ｂの軌跡に対応させて収納庫筐体３０の後板３０Ｅに穿設された孔部（図示せず）を介して適宜、紙幣収納空間に入り込ませている。
【０２１９】
これに加えて第２回転軸４４は、例えば、左側の可変羽根車５８の右隣で、かつ左側の補助ローラ５２とほぼ対向する位置に、環状の本体部６３Ａを有する押上部６３が固設されている。
【０２２０】
すなわち、第２回転軸４４は、押上部６３の本体部６３Ａの中心に穿設された孔部に挿入された状態で当該押上部６３が、取込繰出路４２を介して長辺最短紙幣が搬送される場合でも、搬送中の長辺最短紙幣の他面において紙幣長手方向の一端部（すなわち、左側の短辺よりも内側の所定位置）と対向するような所定位置に、第２回転軸４４と一体に回転するように固設されている。
【０２２１】
押上部６３は、例えば、本体部６３Ａの外周面の左縁部（すなわち、可変羽根車５８側の縁部）において１８０度以下の所定の角度範囲に円弧状の押上板６３Ｂが突設されている。
【０２２２】
そして押上部６３は、第２回転軸４４に対し押上板６３Ｂを、当該第２回転軸４４に対する４個の固定羽根車５７、５９、６０、６２の複数の羽根５７Ｂ、５９Ｂ、６０Ｂ、６２Ｂの突出側に位置させて（すなわち、複数の羽根５７Ｂ、５９Ｂ、６０Ｂ、６２Ｂの突出側に押上板６３Ｂを突出させて）固設されている。
【０２２３】
また押上部６３は、本体部６３Ａが、例えば、補助ローラ５２の幅以上の所定の幅を有すると共に、取込ローラ５５、５６の外径（すなわち、外周面の凸部の外径）よりも小さい所定の外径を有している。
【０２２４】
ただし、押上部６３は、押上板６３Ｂの外径（すなわち、本体部６３Ａの中心から押上板６３Ｂの外周面までの長さ）が、例えば、取込ローラ５５、５６の外径（すなわち、外周面の凸部の外径）とほぼ等しく選定されている。
【０２２５】
そして押上部６３は、第２回転軸４４と共に回転した場合、押上板６３Ｂを、当該押上板６３Ｂの軌跡に対応させて第１搬送ガイド４０に穿設された孔部（図示せず）を介して適宜、取込繰出路４２内に入り込ませて、補助ローラ５２の左側面において下側の部分に近接させている。
【０２２６】
また第２回転軸４４は、例えば、右側の可変羽根車６１の左隣で、かつ右側の補助ローラ５３とほぼ対向する位置にも、環状の本体部６４Ａを有する押上部６４が固設されている。
【０２２７】
すなわち、第２回転軸４４は、押上部６４の本体部６４Ａの中心に穿設された孔部に挿入された状態で当該押上部６４が、取込繰出路４２を介して長辺最短紙幣が搬送される場合でも、搬送中の長辺最短紙幣の他面において紙幣長手方向の他端部（すなわち、右側の短辺よりも内側の所定位置）と対向するような所定位置に、第２回転軸４４と一体に回転するように固設されている。
【０２２８】
押上部６４は、例えば、本体部６４Ａの外周面の左縁部（すなわち、可変羽根車６１側の縁部）において１８０度以下の所定の角度範囲に円弧状の押上板６４Ｂが突設されている。
【０２２９】
そして押上部６４も、上述した左側の押上部６３と同様に第２回転軸４４に対し押上板６４Ｂを、当該第２回転軸４４に対する４個の固定羽根車５７、５９、６０、６２の複数の羽根５７Ｂ、５９Ｂ、６０Ｂ、６２Ｂの突出側に位置させて（すなわち、複数の羽根５７Ｂ、５９Ｂ、６０Ｂ、６２Ｂの突出側に押上板６４Ｂを突出させて）固設されている。
【０２３０】
また押上部６４は、上述した左側の押上部６３と同様に本体部６４Ａが、例えば、補助ローラ５３の幅以上の所定の幅を有すると共に、取込ローラ５５、５６の外径（すなわち、外周面の凸部の外径）よりも小さい所定の外径を有している。
【０２３１】
ただし、押上部６４も、上述した左側の押上部６３と同様に押上板６４Ｂの外径（すなわち、本体部６４Ａの中心から押上板６４Ｂの外周面までの長さ）が、例えば、取込ローラ５５、５６の外径（すなわち、外周面の凸部の外径）とほぼ等しく選定されている。
【０２３２】
そして押上部６４は、第２回転軸４４と共に回転した場合、押上板６４Ｂを、当該押上板６４Ｂの軌跡に対応させて第１搬送ガイド４０に穿設された孔部（図示せず）を介して適宜、取込繰出路４２内に入り込ませて、補助ローラ５３の右側面において下側の部分に近接させている。
【０２３３】
このようにして取込繰出部３２には、４個の固定羽根車５７、５９、６０、６２が複数の羽根５７Ｂ、５９Ｂ、６０Ｂ、６２Ｂの位置をほぼ揃えたまま第２回転軸４４と共に回転して当該複数の羽根５７Ｂ、５９Ｂ、６０Ｂ、６２Ｂの先端部を適宜、取込繰出路４２内及び紙幣収納空間に入り込ませることができるように設けられている。
【０２３４】
また取込繰出部３２には、２個の可変羽根車５８、６１が、第２回転軸４４を介して回転して複数の羽根５８Ｂ、６１Ｂの先端部を適宜、取込繰出路４２内及び紙幣収納空間に入り込ませることができるように設けられている。
【０２３５】
さらに取込繰出部３２には、２個の押上部６３、６４が押上板６３Ｂ、６４Ｂの位置をほぼ揃えたまま第２回転軸４４と共に回転して当該押上板６３Ｂ、６４Ｂを適宜、取込繰出路４２内に入り込ませることができるように設けられている。
【０２３６】
因みに、以下の説明では、第２回転軸４４に紙幣の取込用の部品として固設された２個の取込ローラ５５、５６、４個の固定羽根車５７、５９、６０、６２及び２個の押上部６３、６４を、まとめて取込用固設部品とも呼ぶ。
【０２３７】
また取込繰出部３２は、例えば、収納庫筐体３０の左側板３０Ｂの後上端部の内面及び右側板３０Ｃの後上端部の内面において第２回転軸４４の後斜め上側（また、第１回転軸４３の後斜め下側）に対向配置された一対の第３軸受部（図示せず）を有している。
【０２３８】
これにより第３回転軸４５は、収納庫筐体３０により一対の第３軸受部を介して預払機左右方向と平行な姿勢で、一回転方向及び他回転方向へ回転可能に支持されている。
【０２３９】
第３回転軸４５は、例えば、２個のフィードローラ５０、５１と対向する位置に、これら２個のフィードローラ５０、５１の間に紙幣を挟み込むための２個のローラ（以下、これをプレッシャローラとも呼ぶ）６８（図４には１つのみ図示し、図５には２個とも図示せず）が固設されている。
【０２４０】
すなわち、第３回転軸４５は、２個のプレッシャローラ６８各々の中心に穿設された孔部に挿入された状態で、これら２個のプレッシャローラ６８が当該第３回転軸４５と一体に回転するように固設されている。
【０２４１】
２個のプレッシャローラ６８は、例えば、フィードローラ５０、５１の幅と等しい幅を有している。また２個のプレッシャローラ６８は、所定の等しい外径を有している。
【０２４２】
そして２個のプレッシャローラ６８は、それぞれ外周面において前斜め上側の所定部分を、当該所定部分に対応させて第１搬送ガイド４０に穿設された孔部（図示せず）を介して取込繰出路４２内に入り込ませている。
【０２４３】
これにより取込繰出部３２は、取込繰出路４２内で、２個のフィードローラ５０、５１の外周面の凸部の一部（すなわち、後斜め下側の部分）に、２個のプレッシャローラ６８の外周面の一部を押し付けている。
【０２４４】
このようにして取込繰出部３２には、２個のプレッシャローラ６８が、それぞれ取込繰出路４２内に前斜め上側の所定部分を入り込ませた状態で２個のフィードローラ５０、５１の一回転方向及び他回転方向への回転に連動させて、当該２個のフィードローラ５０、５１の回転方向とは逆の他回転方向及び一回転方向へ回転可能に設けられている。
【０２４５】
さらに取込繰出部３２は、一対の軸支持アーム６９（図４には１つのみ図示し、図５には２個とも図示せず）を有している。
【０２４６】
一方の軸支持アーム６９は、例えば、その一端部が第１回転軸４３において収納庫筐体３０の左側板３０Ｂの内面近傍の所定位置に回転しないように（すなわち、第１回転軸４３の回転を受けないように）支持され、他端部を第１回転軸４３の前側に位置させている。
【０２４７】
そして第４回転軸４６は、一方の軸支持アーム６９の他端部に預払機左右方向と平行な姿勢で一回転方向及び他回転方向へ回転可能に支持されると共に、当該第４回転軸４６の右端部を左側のフィードローラ５０と対向させている。
【０２４８】
この場合、第１回転軸４３は、一方の軸支持アーム６９の支持部分に歯付プーリ７０が、当該第１回転軸４３と一体に回転するように固設されている。
【０２４９】
また第４回転軸４６は、一方の軸支持アーム６９による支持部分に歯付プーリ７１が、当該第４回転軸４６と一体に回転するように固設されている。
【０２５０】
そして取込繰出部３２は、第１回転軸４３の歯付プーリ７０から第４回転軸４６の歯付プーリ７１に亘り無端状の駆動ベルト７２がかけられている。
【０２５１】
これにより取込繰出部３２は、第４回転軸４６を、第１回転軸４３の一回転方向及び他回転方向への回転に連動させて当該第１回転軸４３の回転方向と同一の一回転方向及び他回転方向へ回転させ得るようにしている。
【０２５２】
そして第４回転軸４６は、例えば、左側のフィードローラ５０と対向する位置、及び左側の補助ローラ５２と対向する位置に、それぞれ紙幣収納空間から紙幣を取込繰出路４２へ送り出すためのローラ（以下、これをピッカローラとも呼ぶ）７３（図４には１つのみ図示し、図５には２個とも図示せず）が固設されている。
【０２５３】
すなわち、第４回転軸４６は、２個のピッカローラ７３各々の中心に穿設された孔部に挿入された状態で、これら２個のピッカローラ７３が当該第４回転軸４６と一体に回転するように固設されている。
【０２５４】
また他方の軸支持アームは、例えば、その一端部が第１回転軸４３において収納庫筐体３０の右側板３０Ｃの内面近傍の所定位置に回転しないように（すなわち、第１回転軸４３の回転を受けないように）支持され、他端部を第１回転軸４３の前側に位置させている。
【０２５５】
そして第５回転軸は、他方の軸支持アームの他端部に預払機左右方向と平行な姿勢で一回転方向及び他回転方向へ回転可能に支持されると共に、当該第５回転軸の左端部を右側のフィードローラ５１と対向させている。
【０２５６】
この場合、第１回転軸４３は、他方の軸支持アームの支持部分に歯付プーリ（図示せず）が、当該第１回転軸４３と一体に回転するように固設されている。
【０２５７】
また第５回転軸は、他方の軸支持アームによる支持部分に歯付プーリ（図示せず）が、当該第５回転軸と一体に回転するように固設されている。
【０２５８】
そして取込繰出部３２は、第１回転軸４３の歯付プーリから第５回転軸の歯付プーリに亘り無端状の駆動ベルト（図示せず）がかけられている。
【０２５９】
これにより取込繰出部３２は、第４回転軸４６と同様に第５回転軸も、第１回転軸４３の一回転方向及び他回転方向への回転に連動させて当該第１回転軸４３の回転方向と同一の一回転方向及び他回転方向へ回転させ得るようにしている。
【０２６０】
そして第５回転軸は、例えば、右側のフィードローラ５１と対向する位置、及び右側の補助ローラ５３と対向する位置に、それぞれ紙幣収納空間から紙幣を取込繰出路４２へ送り出すためのピッカローラ（図示せず）が固設されている。
【０２６１】
すなわち、第５回転軸は、２個のピッカローラ各々の中心に穿設された孔部に挿入された状態で、これら２個のピッカローラが当該第５回転軸と一体に回転するように固設されている。
【０２６２】
このようにして取込繰出部３２には、４個のピッカローラ７３が、第１回転軸４３の一回転方向及び他回転方向への回転に連動させて、当該第１回転軸４３の回転方向と同一の一回転方向及他回転方向へ回転可能に設けられている。
【０２６３】
そして取込繰出部３２において第１回転軸４３は、収納庫筐体３０の左側板３０Ｂから左側に突出している一端部に第１駆動ギア７５が固設されている。
【０２６４】
また図５と共に図６に示すように、取込繰出部３２において第２回転軸４４は、収納庫筐体３０の左側板３０Ｂから左側に突出している一端部に、当該第２回転軸４４を一回転方向へのみ回転させるためのワンウェイクラッチ７６を介して第２駆動ギア７７が設けられ、当該第２駆動ギア７７を第１駆動ギア７５に歯合させている。
【０２６５】
さらに取込繰出部３２は、上述した２個のフィードローラ５０、５１や２個の取込ローラ５５、５６等の各種ローラを回転させるために例えば、紙幣収納庫１８の所定位置に設けられた図示しない駆動モータ（以下、これをローラ駆動モータとも呼ぶ）を有し、当該ローラ駆動モータの出力軸が複数のギア（図示せず）を介して第２駆動ギア７７に連結されている。
【０２６６】
これにより取込繰出部３２は、紙幣取込時、制御ユニット１０の制御のもとローラ駆動モータが紙幣の取込用に動作すると、そのローラ駆動モータの出力軸の回転を複数のギアを介して第２駆動ギア７７に伝達して、当該第２駆動ギア７７を一回転方向へ回転させることができる。
【０２６７】
そして取込繰出部３２は、第２回転軸４４を、ワンウェイクラッチ７６の作用により第２駆動ギア７７と共に一回転方向へ回転させる。
【０２６８】
よって取込繰出部３２は、第２回転軸４４と共に、これに設けられている２個の取込ローラ５５、５６、４個の固定羽根車５７、５９、６０、６２及び２個の押上部６３、６４を紙幣の取込用に一回転方向へ回転させることができる共に、後述するように２個の可変羽根車５８、６１も適宜、一回転方向へ回転させることができる。
【０２６９】
また取込繰出部３２は、この際、第２駆動ギア７７に歯合している第１駆動ギア７５を、当該第２駆動ギア７７の回転方向とは逆の他回転方向へ回転させることができる。
【０２７０】
よって取込繰出部３２は、第１回転軸４３を第１駆動ギア７５と共に紙幣の取込用に他回転方向へ回転させて、当該第１回転軸４３に設けられた２個のフィードローラ５０、５１及び２個の補助ローラ５２、５３も紙幣の取込用に他回転方向へ回転させることができる。
【０２７１】
さらに取込繰出部３２は、この際、２個のフィードローラ５０、５１の他回転方向への回転に連動させて２個のプレッシャローラ６８を、紙幣の取込用に当該２個のフィードローラ５０、５１の回転方向とは逆の一回転方向へ回転させることができる。
【０２７２】
一方、取込繰出部３２は、紙幣繰出時、制御ユニット１０の制御のもとローラ駆動モータが紙幣の繰出用に動作すると、そのローラ駆動モータの出力軸の回転を複数のギアを介して第２駆動ギア７７に伝達して、当該第２駆動ギア７７を他回転方向へ回転させることができる。
【０２７３】
ただし、取込繰出部３２は、第２駆動ギア７７が他回転方向へ回転してもワンウェイクラッチ７６の作用により第２回転軸４４を回転させずに停止させたままにする。
【０２７４】
よって取込繰出部３２は、第２回転軸４４に設けられている２個の取込ローラ５５、５６、４個の固定羽根車５７、５９、６０、６２及び２個の押上部６３、６４も回転させずに停止させたままにすると共に、後述するように２個の可変羽根車５８、６１についても回転させずに停止させたままにする。
【０２７５】
また取込繰出部３２は、この際、第２駆動ギア７７に歯合している第１駆動ギア７５を、当該第２駆動ギア７７の回転方向とは逆の一回転方向へ回転させることができる。
【０２７６】
よって取込繰出部３２は、第１回転軸４３を、第１駆動ギア７５と共に紙幣の繰出用に一回転方向へ回転させて、当該第１回転軸４３に設けられている２個のフィードローラ５０、５１及び２個の補助ローラ５２、５３も紙幣の繰出用に一回転方向へ回転させることができる。
【０２７７】
さらに取込繰出部３２は、この際、２個のフィードローラ５０、５１の一回転方向への回転に連動させて２個のプレッシャローラ６８を、紙幣の繰出用に当該２個のフィードローラ５０、５１の回転方向とは逆の他回転方向へ回転させることができる。
【０２７８】
さらにまた取込繰出部３２は、この際、第１回転軸４３の一回転方向への回転に連動させて第４回転軸４６及び第５回転軸と共に４個のピッカローラ７３を、紙幣収納空間から取込繰出路４２への紙幣の送出用に当該第１回転軸４３の回転方向と同一の一回転方向へ回転させることができる。
【０２７９】
因みに、取込繰出部３２は、取込繰出路４２を介して紙幣を取込用及び繰出用に搬送する際、その取込繰出路４２内での紙幣の通過の有無を例えば、光学的に検出するための発光素子及び受光素子からなる紙幣通過検出部８０が設けられている。
【０２８０】
また取込繰出部３２は、収納庫筐体３０の前板３０Ｄにおいて第１搬送ガイド４０及び第２搬送ガイド４１の他端（すなわち、紙幣収納空間側の端）と対向する位置に、紙幣取込時に取込繰出路４２の内側開口部から紙幣収納空間に放出された紙幣を、その一方の長辺を衝突させて止めるためのビルストッパ８１が衝撃吸収用のばね（図示せず）を介して取り付けられている。
【０２８１】
ところで、取込繰出部３２（図６）は、第２回転軸４４の回転制御用として（すなわち、第２回転軸４４の一回転方向への回転を停止させる際の停止位置の制御用として）例えば、回転子８５と、略コ字状の回転位置検出部８６とを有している。
【０２８２】
回転子８５は、例えば、平ワッシャ状の本体部８５Ａを有し、当該本体部８５Ａの外周の一部に短冊状の被検出部８５Ｂが突設されている。
【０２８３】
そして回転子８５は、第２回転軸４４の一端部において収納庫筐体３０の左側板３０Ｂの外面と第２駆動ギア７７との間の所定位置に、本体部８５Ａの中心の孔部を介して当該第２回転軸４４と一体に回転するように固設されている。
【０２８４】
また回転位置検出部８６は、例えば、一方の腕部に発光素子が埋設されると共に、その発光素子に対向させて（すなわち、発光素子が発射した光を受光可能なように）、他方の腕部に受光素子が埋設されている。
【０２８５】
そして回転位置検出部８６は、第２回転軸４４と共に回転子８５が一回転方向へ回転した場合、当該回転子８５の被検出部８５Ｂが、一方及び他方の腕部間の溝部（以下、これを検出用溝部とも呼ぶ）内を通るように、例えば、収納庫筐体３０の左側板３０Ｂの外面に設けられている。
【０２８６】
よって制御ユニット１０は、ローラ駆動モータを紙幣の取込用に動作させて第２回転軸４４を一回転方向へ回転させた際、回転位置検出部８６を介して検出用溝部内に回転子８５の被検出部８５Ｂが入り込んだか否かを光学的に検出している。
【０２８７】
そして制御ユニット１０は、取込繰出部３２による紙幣の取り込みが終了した際には、回転位置検出部８６を介して検出用溝部内に回転子８５の被検出部８５Ｂが入り込んだことを検出したことに応じてローラ駆動モータの動作を停止させている。
【０２８８】
実際に制御ユニット１０は、回転位置検出部８６を介して回転子８５の被検出部８５Ｂを検出したときには、４個の固定羽根車５７、５９、６０、６２の複数の羽根５７Ｂ、５９Ｂ、６０Ｂ、６２Ｂ及び２個の押上部６３、６４の押上板６３Ｂ、６４Ｂを取込繰出路４２内及び紙幣収納空間から待避させるようにしてローラ駆動モータの動作と共に第２回転軸４４の一回転方向への回転を停止させている。
【０２８９】
そして取込繰出部３２は、制御ユニット１０の制御のもと、ローラ駆動モータが停止状態から紙幣の繰出用に動作しても、上述のように第２回転軸４４をワンウェイクラッチ７６の作用により回転させずに停止させたままにしている。
【０２９０】
従って取込繰出部３２は、ローラ駆動モータが停止している間のみならず、紙幣の繰出用に動作している間も、４個の固定羽根車５７、５９、６０、６２の複数の羽根５７Ｂ、５９Ｂ、６０Ｂ、６２Ｂ及び２個の押上部６３、６４の押上板６３Ｂ、６４Ｂを取込繰出路４２内及び紙幣収納空間から待避させ続けている。
【０２９１】
係る構成に加えて、図７に示すように、右側に位置する可変羽根車６１は、左側面において複数の羽根６１Ｂの突出側の所定位置に、第２回転軸４４に対する当該複数の羽根６１Ｂの位置を制御するための例えば、扇状の突起でなる係合部６１Ｃが設けられている。
【０２９２】
また図８に示すように、右側に位置する押上部６４は、可変羽根車６１の左側面と対向する右側面の中心寄り（すなわち、中心の孔部の縁部分）において押上板６４Ｂの突設範囲（すなわち、１８０度以下の所定の角度範囲）に、第２回転軸４４に対する当該可変羽根車６１の複数の羽根６１Ｂの位置を制御するための例えば、円弧状の突起でなる係合部６４Ｃが設けられている。
【０２９３】
因みに、以下の説明では、可変羽根車６１に設けられた係合部６１Ｃを、羽根側係合部６１Ｃとも呼び、押上部６４に設けられた係合部６４Ｃを、押上側係合部６４Ｃとも呼ぶ。
【０２９４】
また以下の説明では、羽根側係合部６１Ｃ及び押上側係合部６４Ｃにおいて一回転方向の端面６１ＣＸ、６４ＣＸを、何れも一端面６１ＣＸ、６４ＣＸとも呼び、他回転方向の端面６１ＣＹ、６４ＣＹを、何れも他端面６１ＣＹ、６４ＣＹとも呼ぶ。
【０２９５】
そして第２回転軸４４は、押上部６４が、その右側面を可変羽根車６１の左側面に近接させて固設されている。
【０２９６】
よって可変羽根車６１は、第２回転軸４４に対して押上部６４の押上側係合部６４Ｃの他端面６４ＣＹに羽根側係合部６１Ｃの一端面６１ＣＸを接触（すなわち、係合）させる位置から当該押上部６４の押上側係合部６４Ｃの一端面６４ＣＸに羽根側係合部６１Ｃの他端面６１ＣＹを接触（すなわち、係合）させる位置までのほぼ１８０度の角度範囲で一回転方向及び他回転方向へ回転することができる。
【０２９７】
そして可変羽根車６１は、第２回転軸４４に対して相対的に一回転方向及び他回転方向へ回転するようにして押上部６４の押上側係合部６４Ｃに対する羽根側係合部６１Ｃの接触箇所（すなわち、係合箇所）を切り換えることで、第２回転軸４４に対する複数の羽根６１Ｂの位置を変化させることができる。
【０２９８】
実際に可変羽根車６１は、第２回転軸４４に対して一回転方向へ回転して押上部６４の押上側係合部６４Ｃの他端面６４ＣＹに羽根側係合部６１Ｃの一端面６１ＣＸを接触させた場合、複数の羽根６１Ｂを４個の固定羽根車５７、５９、６０、６２の複数の羽根５７Ｂ、５９Ｂ、６０Ｂ、６２Ｂ及び２個の押上部６３、６４の押上板６３Ｂ、６４Ｂの突出側へ位置させることができる。
【０２９９】
また可変羽根車６１は、第２回転軸４４に対して他回転方向へ回転して押上部６４の押上側係合部６４Ｃの一端面６４ＣＸに羽根側係合部６１Ｃの他端面６１ＣＹを接触させた場合、複数の羽根６１Ｂを４個の固定羽根車５７、５９、６０、６２の複数の羽根５７Ｂ、５９Ｂ、６０Ｂ、６２Ｂ及び２個の押上部６３、６４の押上板６３Ｂ、６４Ｂの突出側とは反対側へ位置させることができる。
【０３００】
さらに第２回転軸４４（図５及び図６）は、右側の可変羽根車６１と、これよりも右側の固定羽根車６２との間がコイルばね８７の孔部に挿入されている。
【０３０１】
そしてコイルばね８７は、一端部が、可変羽根車６１の右側面に穿設された孔部に挿入され、又は、その本体部６１Ａの外周面の所定位置に形成された溝部に引っ掛けられる等して当該可変羽根車６１に係止されている。
【０３０２】
またコイルばね８７は、他端部が、固定羽根車６２の左側面に穿設された孔部に挿入され、又は、その本体部６２Ａの外周面の所定位置に形成された溝部に引っ掛けられる等して当該固定羽根車６２に係止されている。
【０３０３】
これによりコイルばね８７は、第２回転軸４４に対し可変羽根車６１を一回転方向へ回転させるように付勢している。
【０３０４】
よってコイルばね８７は、可変羽根車６１に一回転方向へ回転させるような外力が加えられていない状態で羽根６１Ｂに一回転方向への回転を妨げるような負荷もかかっていなければ、第２回転軸４４に対し可変羽根車６１を一回転方向へ回転させることができる。
【０３０５】
ただし、コイルばね８７は、可変羽根車６１に一回転方向へ回転させるような外力が加えられていない状態で羽根６１Ｂに一回転方向への回転を妨げるような負荷がかかったときには、可変羽根車６１を一回転方向への回転を停止させるような付勢力で付勢している。
【０３０６】
言い換えると、コイルばね８７は、可変羽根車６１を、複数の羽根６１Ｂの有する弾性力（すなわち、羽根６１Ｂの腰の強さ）よりも小さい付勢力で一回転方向へ回転させるように付勢している。
【０３０７】
一方、左側に位置する可変羽根車５８は、特に図示しないが、当該左側に位置する可変羽根車５８と右側に位置する可変羽根車６１との中間位置で預払機左右方向と垂直な仮想平面に対し、その右側に位置する可変羽根車６１と面対称な形状を有するように形成されている。
【０３０８】
また左側に位置する押上部６３も、特に図示しないが、当該左側に位置する押上部６３と右側に位置する押上部６４との中間位置で預払機左右方向と垂直な仮想平面に対し、その右側に位置する押上部６４と面対称な形状を有するように形成されている。
【０３０９】
そして第２回転軸４４は、左側の押上部６３が、押上側係合部が設けられた左側面を、左側の可変羽根車５８の羽根側係合部が設けられた右側面に近接させて固設されている。
【０３１０】
よって可変羽根車５８は、第２回転軸４４に対して押上部６３の押上側係合部の他端面に羽根側係合部の一端面を接触させる位置から当該押上部６３の押上側係合部の一端面に羽根側係合部の他端面を接触させる位置までのほぼ１８０度の角度範囲で一回転方向及び他回転方向へ回転することができる。
【０３１１】
そして可変羽根車５８も、右側の可変羽根車６１と同様に、第２回転軸４４に対して相対的に一回転方向及び他回転方向へ回転するようにして押上部６３の押上側係合部に対する羽根側係合部の接触箇所を切り換えることで、第２回転軸４４に対する複数の羽根５８Ｂの位置を変化させることができる。
【０３１２】
すなわち、可変羽根車５８は、第２回転軸４４に対し一回転方向へ回転して押上部６３の押上側係合部の他端面に羽根側係合部の一端面を接触させた場合、複数の羽根５８Ｂを４個の固定羽根車５７、５９、６０、６２の複数の羽根５７Ｂ、５９Ｂ、６０Ｂ、６２Ｂ及び２個の押上部６３、６４の押上板６３Ｂ、６４Ｂの突出側へ位置させることができる。
【０３１３】
また可変羽根車５８は、第２回転軸４４に対し他回転方向へ回転して押上部６３の押上側係合部の一端面に羽根側係合部の他端面を接触させた場合、複数の羽根５８Ｂを４個の固定羽根車５７、５９、６０、６２の複数の羽根５７Ｂ、５９Ｂ、６０Ｂ、６２Ｂ及び２個の押上部６３、６４の押上板６３Ｂ、６４Ｂの突出側とは反対側へ位置させることができる。
【０３１４】
さらに第２回転軸４４（図５）は、左側の可変羽根車５８と、これよりも左側の固定羽根車５９との間もコイルばね８８の孔部に挿入されている。
【０３１５】
そしてコイルばね８８は、一端部が、可変羽根車５８の左側面に穿設された孔部に挿入され、又は、その本体部５８Ａの外周面の所定位置に形成された溝部に引っ掛けられる等して当該可変羽根車５８に係止されている。
【０３１６】
またコイルばね８８は、他端部が、固定羽根車５９の右側面に穿設された孔部に挿入され、又は、その本体部５９Ａの外周面の所定位置に形成された溝部に引っ掛けられる等して当該固定羽根車５９に係止されている。
【０３１７】
これによりコイルばね８８は、第２回転軸４４に対し可変羽根車５８を一回転方向へ回転させるように付勢している。
【０３１８】
よってコイルばね８８は、可変羽根車５８に一回転方向へ回転させるような外力が加えられていない状態で羽根５８Ｂに一回転方向への回転を妨げるような負荷もかかっていなければ、第２回転軸４４に対し可変羽根車５８を一回転方向へ回転させることができる。
【０３１９】
ただし、コイルばね８８も、上述の右側のコイルばね８７と同様に、可変羽根車５８に一回転方向へ回転させるような外力が加えられていない状態で羽根５８Ｂに一回転方向への回転を妨げるような負荷がかかったときには、可変羽根車５８を一回転方向への回転を停止させるような付勢力で付勢している。
【０３２０】
言い換えると、コイルばね８８も、可変羽根車５８を、複数の羽根５８Ｂの有する弾性力（すなわち、羽根５８Ｂの腰の強さ）よりも小さい付勢力で一回転方向へ回転させるように付勢している。
【０３２１】
これにより図９（Ａ）乃至図１０（Ｂ）に示すように、取込繰出部３２は、２個の可変羽根車５８、６１に一回転方向へ回転させるような外力が加えられていない状態で羽根５８Ｂ、６１Ｂに一回転方向への回転を妨げるような負荷Ｆ１もかかっていなければ、第２回転軸４４に対し２個の可変羽根車５８、６１を、コイルばね８７、８８によってかけている付勢力Ｆ２により一回転方向へ回転させる。
【０３２２】
よって取込繰出部３２は、２個の押上部６３、６４の押上側係合部６４Ｃの他端面６４ＣＹに２個の可変羽根車５８、６１の羽根側係合部６１Ｃの一端面６１ＣＸを接触させて、当該２個の可変羽根車５８、６１の複数の羽根５８Ｂ、６１Ｂを４個の固定羽根車５７、５９、６０、６２の複数の羽根５７Ｂ、５９Ｂ、６０Ｂ、６２Ｂ及び２個の押上部６３、６４の押上板６３Ｂ、６４Ｂの突出側へ位置させる（図９（Ａ））。
【０３２３】
そして取込繰出部３２は、この状態で第２回転軸４４が回転した場合は、２個の可変羽根車５８、６１を、コイルばね８７、８８によってかけている付勢力Ｆ２により当該第２回転軸４４の回転に追従させて一回転方向へ回転させる。
【０３２４】
すなわち、取込繰出部３２は、この際、２個の可変羽根車５８、６１を、２個の押上部６３、６４の押上側係合部６４Ｃの他端面６４ＣＹに当該２個の可変羽根車５８、６１の羽根側係合部６１Ｃの一端面６１ＣＸを接触させて、複数の羽根５８Ｂ、６１Ｂを４個の固定羽根車５７、５９、６０、６２の複数の羽根５７Ｂ、５９Ｂ、６０Ｂ、６２Ｂ及び２個の押上部６３、６４の押上板６３Ｂ、６４Ｂの突出側へ位置させたまま、第２回転軸４４と共に一回転方向へ回転させる（図９（Ｂ））。
【０３２５】
ただし、取込繰出部３２は、第２回転軸４４の一回転方向への回転中に、２個の可変羽根車５８、６１の羽根５８Ｂ、６１Ｂに付勢力Ｆ２以上の負荷Ｆ１がかかると、第２回転軸４４は一回転方向へ回転させながらも、２個の可変羽根車５８、６１の一回転方向への回転は停止させる。
【０３２６】
この際、取込繰出部３２は、第２回転軸４４が、これに固設されている２個の押上部６３、６４と共に一回転方向へ回転するため、その回転に応じて２個の可変羽根車５８、６１の羽根側係合部６１Ｃの一端面６１ＣＸから２個の押上部６３、６４の押上側係合部６４Ｃの他端面６４ＣＹを徐々に引き離す（図９（Ｃ））。
【０３２７】
そして取込繰出部３２は、２個の可変羽根車５８、６１に対し第２回転軸４４がほぼ半回転すると、当該２個の可変羽根車５８、６１の羽根側係合部６１Ｃの他端面６１ＣＹに２個の押上部６３、６４の押上側係合部６４Ｃの一端面６４ＣＸを接触させる。
【０３２８】
よって取込繰出部３２は、２個の可変羽根車５８、６１の複数の羽根５８Ｂ、６１Ｂを４個の固定羽根車５７、５９、６０、６２の複数の羽根５７Ｂ、５９Ｂ、６０Ｂ、６２Ｂ及び２個の押上部６３、６４の押上板６３Ｂ、６４Ｂの突出側とは反対側へ位置させる（図１０（Ａ））。
【０３２９】
この状態で取込繰出部３２は、第２回転軸４４がさらに一回転方向へ回転すると、その回転に応じて２個の押上部６３、６４の押上側係合部６４Ｃにより２個の可変羽根車５８、６１の羽根側係合部６１Ｃを一回転方向へ押すようにして、第２回転軸４４と共に当該２個の可変羽根車５８、６１を一回転方向へ回転させる。
【０３３０】
すなわち、取込繰出部３２は、この際、２個の可変羽根車５８、６１の羽根側係合部６１Ｃの他端面６１ＣＹに２個の押上部６３、６４の押上側係合部６４Ｃの一端面６４ＣＸを接触させて、複数の羽根５８Ｂ、６１Ｂを４個の固定羽根車５７、５９、６０、６２の複数の羽根５７Ｂ、５９Ｂ、６０Ｂ、６２Ｂ及び２個の押上部６３、６４の押上板６３Ｂ、６４Ｂの突出側へ位置させたまま、第２回転軸４４と共に２個の可変羽根車５８、６１を一回転方向へ回転させる（図１０（Ｂ））。
【０３３１】
そして取込繰出部３２は、上述のようにローラ駆動モータの動作と共に第２回転軸４４の一回転方向への回転が停止した際には、その第２回転軸４４に対して２個の可変羽根車５８、６１をコイルばね８７、８８の付勢によって一回転方向へ回転させる。
【０３３２】
これにより取込繰出部３２は、２個の可変羽根車５８、６１の複数の羽根５８Ｂ、６１Ｂを４個の固定羽根車５７、５９、６０、６２の複数の羽根５７Ｂ、５９Ｂ、６０Ｂ、６２Ｂ及び２個の押上部６３、６４の押上板６３Ｂ、６４Ｂの突出側へ位置させて、当該２個の可変羽根車５８、６１の複数の羽根５８Ｂ、６１Ｂも取込繰出路４２内及び紙幣収納空間から待避させることができる。
【０３３３】
また取込繰出部３２は、第２回転軸４４が一回転方向へ回転したときには、２個の可変羽根車５８、６１の羽根５８Ｂ、６１Ｂに上述した付勢力Ｆ２以上の負荷Ｆ１がかかるか否かに応じて、当該第２回転軸４４に対する２個の可変羽根車５８、６１の複数の羽根５８Ｂ、６１Ｂの位置を適宜変化させることができる。
【０３３４】
実際に取込繰出部３２（図４）は、例えば、第１搬送ガイド４０の下側で、かつ第２回転軸４４の後側に、預払機左右方向に長い略短冊状のストッパ９０が、その一面を前斜め下側へ向けるように傾斜させて配置されている。
【０３３５】
そして取込繰出部３２は、４個の固定羽根車５７、５９、６０、６２及び２個の可変羽根車５８、６１の複数の羽根５７Ｂ乃至６２Ｂを取込繰出路４２内及び紙幣収納空間から待避させる場合、ストッパ９０の一面に複数の羽根５７Ｂ乃至６２Ｂの先端部を押し付けさせて変形（すなわち、屈曲）させ得るように、当該ストッパ９０の配置位置及び配置角度が適宜選定されている。
【０３３６】
すなわち、取込繰出部３２は、４個の固定羽根車５７、５９、６０、６２及び２個の可変羽根車５８、６１の複数の羽根５７Ｂ乃至６２Ｂを取込繰出路４２内及び紙幣収納空間から待避させる場合、これら複数の羽根５７Ｂ乃至６２Ｂに上述した付勢力Ｆ２以上の負荷Ｆ１をかけることができるように、ストッパ９０の配置位置及び配置角度が適宜選定されている。
【０３３７】
よって図１１（Ａ）乃至図１２（Ｃ）に示すように、取込繰出部３２は、紙幣の取込用に動作していたローラ駆動モータの停止に応じて第２回転軸４４の一回転方向への回転が停止した場合、４個の固定羽根車５７、５９、６０、６２の複数の羽根５７Ｂ、５９Ｂ、６０Ｂ、６２Ｂを取込繰出路４２内及び紙幣収納空間から待避させる。
【０３３８】
これにより取込繰出部３２は、固定羽根車５７、５９、６０、６２毎に例えば、一回転方向への回転の際の先頭側（以下、これを回転先頭側とも呼ぶ）の１つの羽根５７Ｂ、５９Ｂ、６０Ｂ、６２Ｂの先端部をそれぞれストッパ９０に押し付けて撓ませる。
【０３３９】
また取込繰出部３２は、この際、図９（Ａ）について上述した場合と同様に、第２回転軸４４に対し２個の可変羽根車５８、６１をコイルばね８７、８８の付勢により一回転方向へ回転させて当該２個の可変羽根車５８、６１の複数の羽根５８Ｂ、６１Ｂを取込繰出路４２内及び紙幣収納空間から待避させる。
【０３４０】
よって取込繰出部３２は、可変羽根車５８、６１毎に例えば、回転先頭側の１つの羽根５８Ｂ、６１Ｂの先端部をストッパ９０に押し付けて撓ませるようにして、これら２個の可変羽根車５８、６１の一回転方向への回転を停止させる（図１１（Ａ））。
【０３４１】
この状態で取込繰出部３２は、ローラ駆動モータが紙幣の取込用に動作して第２回転軸４４が一回転方向へ回転すると、２個の可変羽根車５８、６１については図９（Ｃ）について上述した場合と同様に、羽根５８Ｂ、６１Ｂにストッパ９０に対する押し付けで負荷Ｆ１がかかっていることにより一回転方向へは回転させない。
【０３４２】
よって取込繰出部３２は、この際、ローラ駆動モータの駆動力により第２回転軸４４と共に４個の固定羽根車５７、５９、６０、６２及び２個の押上部６３、６４を一回転方向へ回転させる。
【０３４３】
従って取込繰出部３２は、この際、４個の固定羽根車５７、５９、６０、６２の複数の羽根５７Ｂ、５９Ｂ、６０Ｂ、６２Ｂの先端部を、回転先頭側から順にストッパ９０との接触位置を一旦は撓ませながら通過させた後、元の形状に戻して取込繰出路４２内に入り込ませる（図１１（Ｂ））。
【０３４４】
このようにして取込繰出部３２は、２個の可変羽根車５８、６１の回転は停止させたまま、第２回転軸４４と共に４個の固定羽根車５７、５９、６０、６２及び２個の押上部６３、６４を一回転方向へほぼ１８０度回転させたときには、当該４個の固定羽根車５７、５９、６０、６２の複数の羽根５７Ｂ、５９Ｂ、６０Ｂ、６２Ｂを全て取込繰出路４２内及び紙幣収納空間の何れかに入り込ませると共に、２個の押上部６３、６４の押上板６３Ｂ、６４Ｂを取込繰出路４２内に入り込ませる。
【０３４５】
この際、取込繰出部３２では、回転を停止させていた２個の可変羽根車５８、６１と、第２回転軸４４と共に一回転方向へ回転していた２個の押上部６３、６４とが、図１０（Ａ）について上述した場合と同様の位置関係になる。
【０３４６】
よって取込繰出部３２では、４個の固定羽根車５７、５９、６０、６２及び２個の可変羽根車５８、６１の複数の羽根５７Ｂ乃至６２Ｂが第２回転軸４４の全周（すなわち、３６０度の範囲）に亘って放射状に展開される（図１１（Ｃ））。
【０３４７】
そして取込繰出部３２は、第２回転軸４４と共に４個の固定羽根車５７、５９、６０、６２及び２個の押上部６３、６４がさらに一回転方向へ回転すると、図１０（Ｂ）について上述した場合と同様に、第２回転軸４４と共に可変羽根車５８、６１も一回転方向へ回転し始める。
【０３４８】
すなわち、取込繰出部３２は、４個の固定羽根車５７、５９、６０、６２及び２個の可変羽根車５８、６１を、複数の羽根５７Ｂ乃至６２Ｂを第２回転軸４４の全周に亘って放射状に展開させたまま一回転方向へ回転させる。
【０３４９】
これにより取込繰出部３２は、２個の可変羽根車５８、６１の複数の羽根５８Ｂ、６１Ｂの先端部を、回転先頭側から順にストッパ９０との接触位置を一旦は撓ませながら通過させた後、元の形状に戻して取込繰出路４２内に入り込ませる（図１２（Ａ））。
【０３５０】
そして取込繰出部３２は、第２回転軸４４の一回転方向への回転に応じて４個の固定羽根車５７、５９、６０、６２の複数の羽根５７Ｂ、５９Ｂ、６０Ｂ、６２Ｂが全て取込繰出路４２内及び紙幣収納空間から一時的に待避し、また２個の押上部６３、６４の押上板６３Ｂ、６４Ｂが取込繰出路４２内から一時的に待避したときには、２個の可変羽根車５８、６１の複数の羽根５８Ｂ、６１Ｂを全て取込繰出路４２内及び紙幣収納空間の何れかに入り込ませる（図１２（Ｂ））。
【０３５１】
このようにして取込繰出部３２は、４個の固定羽根車５７、５９、６０、６２及び２個の可変羽根車５８、６１の複数の羽根５７Ｂ乃至６２Ｂを第２回転軸４４の全周（すなわち、３６０度の範囲）に亘って放射状に展開させると、その後は、第２回転軸４４が一回転方向へ回転している間、４個の固定羽根車５７、５９、６０、６２及び２個の可変羽根車５８、６１を複数の羽根５７Ｂ乃至６２Ｂを展開させた状態のまま一回転方向へ回転させる。
【０３５２】
すなわち、取込繰出部３２は、第２回転軸４４が一回転方向へ回転している間、４個の固定羽根車５７、５９、６０、６２及び２個の可変羽根車５８、６１の複数の羽根５７Ｂ乃至６２Ｂを展開させた状態のままストッパ９０の接触位置を順に叩くようにして通過させて、当該第２回転軸４４と共に４個の固定羽根車５７、５９、６０、６２及び２個の可変羽根車５８、６１を一回転方向へ回転させる。
【０３５３】
そして取込繰出部３２は、紙幣の取込用に動作していたローラ駆動モータの停止に応じて第２回転軸４４の一回転方向への回転が停止した場合、４個の固定羽根車５７、５９、６０、６２の複数の羽根５７Ｂ、５９Ｂ、６０Ｂ、６２Ｂを再び取込繰出路４２内及び紙幣収納空間から待避させる。
【０３５４】
これにより取込繰出部３２は、固定羽根車５７、５９、６０、６２毎に例えば、回転先頭側の１つの羽根５７Ｂ、５９Ｂ、６０Ｂ、６２Ｂの先端部をそれぞれストッパ９０に押し付けて撓ませる（図１２（Ｂ））。
【０３５５】
そして取込繰出部３２は、この際、再び図９（Ａ）について上述した場合と同様に、第２回転軸４４に対し２個の可変羽根車５８、６１をコイルばね８７、８８の付勢により一回転方向へ回転させて当該２個の可変羽根車５８、６１の複数の羽根５８Ｂ、６１Ｂを取込繰出路４２内及び紙幣収納空間から待避させる。
【０３５６】
よって取込繰出部３２は、可変羽根車５８、６１毎に例えば、回転先頭側の１つの羽根５８Ｂ、６１Ｂの先端部をストッパ９０に押し付けて撓ませるようにして、これら２個の可変羽根車５８、６１の一回転方向への回転を停止させる（図１２（Ｃ））。
【０３５７】
このようにして取込繰出部３２は、紙幣の取込用に第２回転軸４４が一回転方向へ回転し始めたときには、その第２回転軸４４に対する２個の可変羽根車５８、６１の複数の羽根５８Ｂ、６１Ｂの位置を変化させながら、当該２個の可変羽根車５８、６１をほぼ半周分遅延させて一回転方向へ回転させ始める。
【０３５８】
また取込繰出部３２は、紙幣の取込用に一回転方向へ回転していた第２回転軸４４の回転を停止させるときには、その第２回転軸４４に対する２個の可変羽根車５８、６１の複数の羽根５８Ｂ、６１Ｂの位置を回転停止時の位置に戻すように変化させて、当該２個の可変羽根車５８、６１の一回転方向への回転を停止させる。
【０３５９】
（１−４）紙幣収納庫による紙幣の取込処理及び繰出処理
次いで、制御ユニット１０が、上述した紙幣の入金処理において紙幣収納庫１８乃至２２で行う紙幣の取込処理、及び上述した紙幣の出金処理において当該紙幣収納庫１８乃至２２で行う紙幣の繰出処理について順に説明する。
【０３６０】
図１３に示すように、制御ユニット１０は、紙幣収納庫１８乃至２２による紙幣９５の取込処理時、収納部３１においてステージ駆動モータを動作させてステージ昇降部を駆動することによりステージ３５を上昇又は下降させる。
【０３６１】
この際、制御ユニット１０は、紙幣到達検出部３６を介して、ステージ３５の一面３５Ａ上の最上位紙幣９５が紙幣取込位置に到達したことを検出すると、その時点でステージ駆動モータの動作を停止させて、当該ステージ３５を停止させる。
【０３６２】
これにより制御ユニット１０は、紙幣収納庫１８乃至２２において４個のピッカローラ７３とステージ３５の一面３５Ａ上の最上位紙幣９５との間に、紙幣収納空間への紙幣９５の取り込みに最適な、当該紙幣９５の所定枚数分の厚みに相当する隙間を形成する。
【０３６３】
この状態で制御ユニット１０は、取込繰出部３２においてローラ駆動モータを紙幣９５の取込用に動作させる。
【０３６４】
よって制御ユニット１０は、第２回転軸４４と共に２個の取込ローラ５５、５６、４個の固定羽根車５７、５９、６０、６２及び２個の押上部６３、６４を一回転方向へ回転させる。
【０３６５】
また制御ユニット１０は、この際、上述のように第２回転軸４４の一回転方向への回転の開始時点から、当該第２回転軸４４がほぼ半回転する間だけ遅延させて２個の可変羽根車５８、６１を一回転方向へ回転させ始める。
【０３６６】
よって制御ユニット１０は、４個の固定羽根車５７、５９、６０、６２及び２個の可変羽根車５８、６１を、これらの複数の羽根５７Ｂ乃至６２Ｂを第２回転軸４４の全周に亘って放射状に展開させた状態で一回転方向へ回転させる。
【０３６７】
さらに制御ユニット１０は、この際、第１回転軸４３と共に２個のフィードローラ５０、５１及び２個の補助ローラ５２、５３を他回転方向へ回転させると共に、その回転に連動させて第３回転軸４５と共に２個のプレッシャローラ６８を一回転方向へ回転させる。
【０３６８】
この状態で制御ユニット１０は、中央紙幣搬送路２７Ａを介して紙幣９５を１枚ずつ紙幣収納庫１８乃至２２へ搬送する。
【０３６９】
これにより制御ユニット１０は、その紙幣９５を取込繰出路４２内に外側開口部から取り込んで、互いに逆回転している２個のフィードローラ５０、５１と２個のプレッシャローラ６８との間に挟み込みながら２個の取込ローラ５５、５６側へ送り出す。
【０３７０】
また制御ユニット１０は、２個のフィードローラ５０、５１と２個のプレッシャローラ６８との間を通した紙幣９５を、引き続き２個のフィードローラ５０、５１と２個の取込ローラ５５、５６との間に挟み込みながら取込繰出路４２の内側開口部から、当該紙幣９５の他面を下側に向けた姿勢で紙幣収納空間（すなわち、ステージ３５の上側）へ放出する。
【０３７１】
そして制御ユニット１０は、取込繰出路４２の内側開口部から紙幣収納空間へ放出した紙幣９５の前側の長辺をビルストッパ８１に衝突させて、当該紙幣９５の前方向への移動を止めると共に、その紙幣９５の一面（すなわち、上側へ向いている面）の後端部を４個の固定羽根車５７、５９、６０、６２や２個の可変羽根車５８、６１の羽根５７Ｂ乃至６２Ｂで上からたたく。
【０３７２】
これにより制御ユニット１０は、紙幣収納空間で紙幣９５を落下させて、ステージ３５の一面３５Ａ上の最上位紙幣９５に重ねるように載せる。
【０３７３】
このようにして制御ユニット１０は、紙幣９５を、中央紙幣搬送路２７Ａを介して紙幣収納庫１８乃至２２へ搬送する毎に、当該紙幣収納庫１８乃至２２において同様に、その紙幣９５を取込繰出路４２を介して紙幣収納空間に取り込んでステージ３５の一面３５Ａに順に重ねるようにして収納することができる。
【０３７４】
ここで、図１４に示すように、紙幣収納庫１８乃至２２では、第２回転軸４４が一回転方向へ回転している状態で、２個の可変羽根車５８、６１の複数の羽根５８Ｂ、６１Ｂが下側に位置するときには、４個の固定羽根車５７、５９、６０、６２の複数の羽根５７Ｂ、５９Ｂ、６０Ｂ、６２Ｂと共に２個の押上部６３、６４の押上板６３Ｂ、６４Ｂが上側に位置している。
【０３７５】
そして紙幣収納庫１８乃至２２では、この際、上述したように左側の補助ローラ５２の左側面において下側の部分に左側の押上部６３の押上板６３Ｂが近接すると共に、右側の補助ローラ５３の右側面において下側の部分に右側の押上部６４の押上板６４Ｂが近接する。
【０３７６】
また図１５に示すように、紙幣収納庫１８乃至２２では、第２回転軸４４が一回転方向へ回転している状態で、４個の固定羽根車５７、５９、６０、６２の複数の羽根５７Ｂ、５９Ｂ、６０Ｂ、６２Ｂと共に２個の押上部６３、６４の押上板６３Ｂ、６４Ｂが下側に位置するときには、２個の可変羽根車５８、６１の複数の羽根５８Ｂ、６１Ｂが上側に位置している。
【０３７７】
そして紙幣収納庫１８乃至２２では、この際、上述したように左側の補助ローラ５２の左側面において下側の部分に左側の可変羽根車５８の複数の羽根５８Ｂが近接すると共に、右側の補助ローラ５３の右側面において下側の部分に右側の可変羽根車６１の複数の羽根６１Ｂが近接する。
【０３７８】
すなわち、紙幣収納庫１８乃至２２は、紙幣取込時、２個の押上部６３、６４の押上板６３Ｂ、６４Ｂと２個の可変羽根車５８、６１の複数の羽根５８Ｂ、６１Ｂとを順次交互に取込繰出路４２内に入り込ませて２個の補助ローラ５２、５３の外側に位置させている。
【０３７９】
よって紙幣収納庫１８乃至２２は、２個のフィードローラ５０、５１と２個の取込ローラ５５、５６との間に紙幣９５を挟み込んだときに２個の押上部６３、６４の押上板６３Ｂ、６４Ｂが上側に位置すると、当該紙幣９５の一端部及び他端部（すなわち、２個の補助ローラ５２、５３の外側の部分）を、その押上板６３Ｂ、６４Ｂによって押し上げるようにして変形させる。
【０３８０】
そして紙幣収納庫１８乃至２２は、第２回転軸４４が一回転方向へ回転し続けると、２個の押上部６３、６４も一回転方向へ回転し続けて押上板６３Ｂ、６４Ｂが下側へ変位するものの、２個の可変羽根車５８、６１が一回転方向へ回転していることで、当該２個の可変羽根車５８、６１の複数の羽根５８Ｂ、６１Ｂを上側に変位させる。
【０３８１】
このため紙幣収納庫１８乃至２２は、２個のフィードローラ５０、５１と２個の取込ローラ５５、５６との間に挟み込んでいた紙幣９５において押し上げるように変形させた一端部及び他端部から２個の押上部６３、６４の押上板６３Ｂ、６４Ｂが離れても、当該紙幣９５の一端部及び他端部を、垂れ下がる前に２個の可変羽根車５８、６１の複数の羽根５８Ｂ、６１Ｂで押し上げるようにして変形させ続けることができる。
【０３８２】
このようにして紙幣収納庫１８乃至２２は、２個のフィードローラ５０、５１と２個の取込ローラ５５、５６との間に紙幣９５を搬送用に挟み込んでいる間は、当該紙幣９５の一端部及び他端部を２個の押上部６３、６４の押上板６３Ｂ、６４Ｂと２個の可変羽根車５８、６１の複数の羽根５８Ｂ、６１Ｂとにより常に押し上げるようにして変形させることができる。
【０３８３】
よって紙幣収納庫１８乃至２２は、取込繰出路４２から紙幣９５を、その一端部及び他端部のばたつきを抑えながら紙幣収納空間へ放出することができる。
【０３８４】
ところで、制御ユニット１０は、ステージ３５の一面３５Ａ上に新たに１枚の紙幣９５を載せる毎に、ステージ駆動モータを間欠的に動作させてステージ昇降部を駆動することで、ステージ３５を僅かに下降させる。
【０３８５】
これにより制御ユニット１０は、ステージ３５の一面３５Ａ上に新たに載せた紙幣９５（すなわち、新たな最上位紙幣９５）を紙幣取込位置に位置させる。
【０３８６】
このようにして制御ユニット１０は、紙幣収納庫１８乃至２２において紙幣収納空間に複数の紙幣９５を常に同一の取込条件で取り込ませる。
【０３８７】
従って制御ユニット１０は、紙幣収納庫１８乃至２２において紙幣収納空間に複数の紙幣９５を順次、取込繰出路４２内や、複数のピッカローラ７３と最上位紙幣９５との間等で詰まらせることなく取り込んでステージ３５の一面３５Ａに順に積層するようにして収納することができる。
【０３８８】
一方、図１６に示すように、制御ユニット１０は、紙幣収納庫１８乃至２２による紙幣９５の繰出処理時、収納部３１においてステージ駆動モータを動作させてステージ昇降部を駆動することによりステージ３５を上昇させる。
【０３８９】
この際、制御ユニット１０は、例えば、紙幣到達検出部３６を介して、ステージ３５の一面３５Ａ上の最上位紙幣９５が紙幣取込位置に到達したことを検出すると、その時点からさらに一定時間、ステージ駆動モータを動作させてステージ３５を上昇させた後、当該ステージ駆動モータの動作を停止させて、ステージ３５を停止させる。
【０３９０】
これにより制御ユニット１０は、ステージ３５の一面３５Ａ上の最上位紙幣９５（すなわち、最上位紙幣９５の一面）を、４個のピッカローラ７３の外周面の下側の部分に所定の押圧力で押し付ける。
【０３９１】
この状態で制御ユニット１０は、取込繰出部３２においてローラ駆動モータを紙幣９５の繰出用に動作させる。
【０３９２】
この際、制御ユニット１０は、第２回転軸４４についてはワンウェイクラッチの作用により回転させないものの、第１回転軸４３と共に２個のフィードローラ５０、５１及び２個の補助ローラ５２、５３を一回転方向へ回転させると共に、その回転に連動させて第３回転軸４５と共に２個のプレッシャローラ６８を他回転方向へ回転させる。
【０３９３】
また制御ユニット１０は、この際、第１回転軸４３の一回転方向への回転に連動させて、第４回転軸４６及び第５回転軸と共に４個のピッカローラ７３も一回転方向へ回転させる。
【０３９４】
これにより制御ユニット１０は、４個のピッカローラ７３により、ステージ３５の一面３５Ａ上から最上位紙幣９５を取込繰出路４２側へずらすようにして、その内側開口部へ送り出す。
【０３９５】
また制御ユニット１０は、ステージ３５上から取込繰出路４２の内側開口部へ送り出した紙幣９５（すなわち、最上位紙幣９５）を当該内側開口部から取込繰出路４２内に取り込んで２個のフィードローラ５０、５１により２個のプレッシャローラ６８側へ送り出す。
【０３９６】
さらに制御ユニット１０は、その紙幣９５を、互いに逆回転している２個のフィードローラ５０、５１と２個のプレッシャローラ６８との間に挟み込みながら取込繰出路４２の外側開口部へ送る。
【０３９７】
このようにして制御ユニット１０は、紙幣収納庫１８乃至２２に収納している紙幣９５を、取込繰出路４２の外側開口部から中央紙幣搬送路２７Ａへ繰り出すことができる。
【０３９８】
因みに、制御ユニット１０は、この際、４個のピッカローラ７３によりステージ３５の一面３５Ａ上から仮に２枚の紙幣９５が上下に重なったまま取込繰出路４２側へ送り出されても、２個の取込ローラ５５、５６の回転を停止させていることで、その２個の取込ローラ５５、５６によって下側の紙幣９５の送り出しを一旦止めて上側の紙幣９５のみを２個のフィードローラ５０、５１と２個のプレッシャローラ６８との間へ送り出すことができる。
【０３９９】
すなわち、制御ユニット１０は、紙幣収納庫１８乃至２２において４個のピッカローラ７３によりステージ３５の一面３５Ａ上から仮に２枚の紙幣９５が上下に重なったまま取込繰出路４２側へ送り出されても、これら２枚の紙幣９５を２個のフィードローラ５０、５１及び２個の取込ローラ５５、５６の間で分離して１枚ずつ繰り出すことができる。
【０４００】
また制御ユニット１０は、この際、例えば、紙幣通過検出部８０を介して取込繰出路４２内での紙幣９５の通過の有無を検出している。
【０４０１】
そして制御ユニット１０は、例えば、紙幣通過検出部８０を介して取込繰出路４２内を紙幣９５が通過したことを検出する毎に、ステージ駆動モータを間欠的に動作させてステージ昇降部を駆動することで、ステージ３５を僅かに上昇させる。
【０４０２】
すなわち、制御ユニット１０は、ステージ３５の一面３５Ａ上から最上位紙幣９５が２個のフィードローラ５０、５１と２個の取込ローラ５５、５６との間へ送り出される毎に、ステージ３５により新たな最上位紙幣９５を４個のピッカローラ７３の外周面の下側の部分に所定の押圧力で押し付ける。
【０４０３】
よって制御ユニット１０は、複数のピッカローラ７３により常に同一の送出条件で、ステージ３５の一面３５Ａ上の複数の紙幣９５を１枚ずつ取込繰出路４２側へ送り出させている。
【０４０４】
これにより制御ユニット１０は、紙幣収納庫１８乃至２２に収納している紙幣９５を１枚ずつ的確に取込繰出路４２の外側開口部から中央紙幣搬送路２７Ａへ繰り出すことができる。
【０４０５】
（１−５）実施の形態の動作及び効果
以上の構成において、現金自動預払機１では、紙幣収納庫１８乃至２２に、フィードローラ５０、５１が固設され、紙幣９５の取込及び繰出用に他回転方向及び一回転方向へ回転可能な第１回転軸４３と、取込用固設部品としての取込ローラ５５、５６が固設され、紙幣９５の取込用に一回転方向へ回転可能な第２回転軸４４とを有し、中央紙幣搬送路２７Ａを介して搬送された紙幣９５を、取込繰出路４２を介して紙幣収納空間に取り込み、また紙幣収納空間に収納している紙幣９５を、取込繰出路４２を介して中央紙幣搬送路２７Ａへ繰り出す取込繰出部３２を設けるようにした。
【０４０６】
また現金自動預払機１では、紙幣収納庫１８乃至２２の取込繰出部３２において第２回転軸４４に取込用固設部品として、本体部５７Ａ、５９Ａ、６０Ａ、６２Ａの外周面の一部に複数の羽根５７Ｂ、５９Ｂ、６０Ｂ、６２Ｂが植設された固定羽根車５７、５９、６０、６２と、押上部６３、６４とを固設するようにした。
【０４０７】
さらに現金自動預払機１では、紙幣収納庫１８乃至２２の取込繰出部３２において第２回転軸４４に、本体部５８Ａ、６１Ａの外周面の一部に複数の羽根５８Ｂ、６１Ｂが植設された可変羽根車５８、６１を一回転方向及び他回転方向へ回転可能に設けるようにした。
【０４０８】
さらにまた現金自動預払機１では、紙幣収納庫１８乃至２２の取込繰出部３２において可変羽根車５８、６１に、第２回転軸４４に対する複数の羽根５８Ｂ、６１Ｂの位置の制御用として羽根側係合部６１Ｃを設けるようにした。
【０４０９】
そして現金自動預払機１では、紙幣収納庫１８乃至２２の取込繰出部３２において取込用固設部品としての押上部６３、６４に、第２回転軸４４に対する可変羽根車５８、６１の回転に応じて羽根側係合部６１Ｃとの接触箇所を変えて、当該第２回転軸４４に対して可変羽根車５８、６１の複数の羽根５８Ｂ、６１Ｂを、第２回転軸４４に対する固定羽根車５７、５９、６０、６２の複数の羽根５７Ｂ、５９Ｂ、６０Ｂ、６２Ｂの突出側へ変位させ、また当該第２回転軸４４に対する固定羽根車５７、５９、６０、６２の複数の羽根５７Ｂ、５９Ｂ、６０Ｂ、６２Ｂの否突出側へ変位させるための押上側係合部６４Ｃを設けるようにした。
【０４１０】
従って現金自動預払機１は、第２回転軸４４に対する可変羽根車５８、６１の複数の羽根５８Ｂ、６１Ｂの位置の制御用として、当該第２回転軸４４に取込用固設部品とは別部品となるピン等の係合部を特に設けることなく、可変羽根車５８、６１に設けた羽根側係合部６１Ｃと取込用固設部品としての押上部６３、６４に設けた押上側係合部６４Ｃとにより、第２回転軸４４に対して可変羽根車５８、６１の複数の羽根５８Ｂ、６１Ｂを、取込繰出路４２内及び紙幣収納空間からの待避用に第２回転軸４４に対する固定羽根車５７、５９、６０、６２の複数の羽根５７Ｂ、５９Ｂ、６０Ｂ、６２Ｂの突出側へ変位させ、また紙幣９５の取込繰出路４２を介した紙幣収納空間への取込用に第２回転軸４４に対する固定羽根車５７、５９、６０、６２の複数の羽根５７Ｂ、５９Ｂ、６０Ｂ、６２Ｂの否突出側へ変位させることができる。
【０４１１】
以上の構成によれば、現金自動預払機１は、紙幣収納庫１８乃至２２において紙幣９５を、取込繰出路４２を介して紙幣収納空間に取り込み、また紙幣収納空間に収納している紙幣９５を、取込繰出路４２を介して繰り出す取込繰出部３２に、紙幣９５の取込用に一回転方向へ回転可能で取込用固設部品が固設される第２回転軸４４に、当該取込用固設部品として本体部５７Ａ、５９Ａ、６０Ａ、６２Ａの外周面の一部に複数の羽根５７Ｂ、５９Ｂ、６０Ｂ、６２Ｂが植設された固定羽根車５７、５９、６０、６２と、押上部６３、６４とを固設すると共に、これら取込用固設部品以外に本体部５８Ａ、６１Ａの外周面の一部に複数の羽根５８Ｂ、６１Ｂが植設された可変羽根車５８、６１を一回転方向及び他回転方向へ回転可能に設け、当該可変羽根車５８、６１に、第２回転軸４４に対する複数の羽根５８Ｂ、６１Ｂの位置の制御用として羽根側係合部６１Ｃを設けると共に、取込用固設部品としての押上部６３、６４に、第２回転軸４４に対する可変羽根車５８、６１の回転に応じて羽根側係合部６１Ｃとの接触箇所を変えて、当該第２回転軸４４に対して可変羽根車５８、６１の複数の羽根５８Ｂ、６１Ｂを、第２回転軸４４に対する固定羽根車５７、５９、６０、６２の複数の羽根５７Ｂ、５９Ｂ、６０Ｂ、６２Ｂの突出側へ変位させ、また当該第２回転軸４４に対する固定羽根車５７、５９、６０、６２の複数の羽根５７Ｂ、５９Ｂ、６０Ｂ、６２Ｂの否突出側へ変位させるための押上側係合部６４Ｃを設けるようにした。
【０４１２】
これにより現金自動預払機１は、第２回転軸４４に対する可変羽根車５８、６１の複数の羽根５８Ｂ、６１Ｂの位置の制御用として当該第２回転軸４４に取込用固設部品とは別部品となるピン等の係合部を特に設けることなく、可変羽根車５８、６１に設けた羽根側係合部６１Ｃと取込用固設部品としての押上部６３、６４に設けた押上側係合部６４Ｃとにより、第２回転軸４４に対して可変羽根車５８、６１の複数の羽根５８Ｂ、６１Ｂを、取込繰出路４２内及び紙幣収納空間からの待避用に固定羽根車５７、５９、６０、６２の複数の羽根５７Ｂ、５９Ｂ、６０Ｂ、６２Ｂの突出側へ変位させ、また紙幣９５の取込繰出路４２を介した紙幣収納空間への取込用に固定羽根車５７、５９、６０、６２の複数の羽根５７Ｂ、５９Ｂ、６０Ｂ、６２Ｂの否突出側へ変位させることができる。
【０４１３】
よって現金自動預払機１は、紙幣収納庫１８乃至２２の取込繰出部３２の構成を簡易化することができ、その結果、当該紙幣収納庫１８乃至２２の構成、及び現金自動預払機１の構成も簡易化することができる。
【０４１４】
また現金自動預払機１は、係る構成により、第２回転軸４４に取込用固設部品とは別部品となるピン等の係合部を設けなくても良いため、当該現金自動預払機１の製造時に、第２回転軸４４に複数の取込用固設部品を組み付けるための工程を簡易化し得ると共に、その工程に要する時間を短縮することができ、製造コストを下げることができる。
【０４１５】
（２）他の実施の形態
（２−１）他の実施の形態１
なお上述した実施の形態においては、可変羽根車５８、６１の右側面又は左側面に第２回転軸４４に対する複数の羽根５８Ｂ、６１Ｂの位置の制御用として扇状の突起でなる羽根側係合部６１Ｃを設けると共に、押上部６３、６４の左側面又は右側面に第２回転軸４４に対する可変羽根車６１の複数の羽根６１Ｂの位置の制御用として円弧状の突起でなる押上側係合部６４Ｃを設けるようにした場合について述べた。
【０４１６】
しかしながら本発明は、これに限らず、例えば、図１７に示すように、右側に位置する可変羽根車１００の本体部１００Ａの左側面に、第２回転軸４４を挿入するための孔部１００ＡＸの内径よりも大きい所定の内径を有する円形の凹部１００ＡＹを形成する。
【０４１７】
また本発明は、その本体部１００Ａの凹部１００ＡＹの内周面において複数の羽根１００Ｂの突出側の所定位置に、第２回転軸４４に対する当該複数の羽根１００Ｂの位置の制御用として略台形状の突起でなる羽根側係合部１００Ｃを設けるようにする。
【０４１８】
さらに本発明は、左側に位置する可変羽根車を、図１７に示した右側に位置する可変羽根車１００との中間位置で預払機左右方向と垂直な仮想平面に対し、その右側に位置する可変羽根車１００と面対称な形状を有するように形成する。
【０４１９】
そのうえで本発明は、第２回転軸４４に、これら右側の可変羽根車１００及び左側の可変羽根車を、これらの凹部１００ＡＹに、図８について上述した右側の押上部６４及び左側の押上部６３の押上側係合部６４Ｃを挿入した状態で一回転方向及び他回転方向へ回転可能に設ける。
【０４２０】
これにより本発明は、第２回転軸４４に対する左右の可変羽根車１００の回転に応じて、当該左右の可変羽根車１００の羽根側係合部１００Ｃと左右の押上部６３、６４の押上側係合部６４Ｃとの接触箇所を変えて、当該第２回転軸４４に対する左右の可変羽根車１００の複数の羽根１００Ｂの位置を変化させるようにしても良い。
【０４２１】
本発明は、係る構成によれば、第２回転軸４４に左右の押上部６３、６４を、左右の可変羽根車１００に極力近接させ、又は接触させるようにして固設することができ、当該第２回転軸４４に他の取込用固設部品を設けるための設計の自由度を向上させることができる。
【０４２２】
また本発明は、例えば、図１８に示すように、右側に位置する押上部１０１の本体部１０１Ａの右側面に、第２回転軸４４に対する可変羽根車６１の複数の羽根６１Ｂの位置の制御用として、押上板としての機能を併せ持つ所定の厚みの円弧状の押上側係合部１０１Ｂを設けるようにする。
【０４２３】
また本発明は、左側に位置する押上部を、図１８に示した右側に位置する押上部１０１との中間位置で預払機左右方向と垂直な仮想平面に対し、その右側に位置する押上部１０１と面対称な形状を有するように形成する。
【０４２４】
そのうえで本発明は、第２回転軸４４に、これら右側の押上部１０１及び左側の押上部を、図７について上述した右側の可変羽根車６１及び左側の可変羽根車に近接させた状態で固設する。
【０４２５】
これにより本発明は、第２回転軸４４に対する左右の可変羽根車５８、６１の回転に応じて、当該左右の可変羽根車５８、６１の羽根側係合部６１Ｃと左右の押上部１０１の押上側係合部１０１Ｂとの接触箇所を変えて、当該第２回転軸４４に対する左右の可変羽根車５８、６１の複数の羽根５８Ｂ、６１Ｂの位置を変化させるようにしても良い。
【０４２６】
本発明は、係る構成によれば、左右の押上部１０１の形状を簡易化して、製造コストを下げることができる。
【０４２７】
さらに本発明は、例えば、可変羽根車の本体部において一方の側面の所定位置に、第２回転軸４４に対する可変羽根車の複数の羽根の位置の制御用として１個の突起でなる羽根側係合部を設けるようにする。
【０４２８】
また本発明は、例えば、押上部の本体部において一方の側面の所定の２箇所にそれぞれ、第２回転軸４４に対する可変羽根車の複数の羽根の位置の制御用として突起でなる押上側係合部を設けるようにする。
【０４２９】
そのうえで本発明は、第２回転軸４４に可変羽根車を、その羽根側係合部を押上部の２個の押上側係合部の間に位置させるようにして、一回転方向及び他回転方向へ回転可能に設ける。
【０４３０】
これにより本発明は、第２回転軸４４に対する可変羽根車の回転に応じて、羽根側係合部と押上部の押上側係合部との接触箇所を変えて、当該第２回転軸４４に対する可変羽根車の複数の羽根の位置を変化させるようにしても良い。
【０４３１】
さらに本発明は、例えば、可変羽根車の本体部において一方の側面の所定の２箇所にそれぞれ、第２回転軸４４に対する可変羽根車の複数の羽根の位置の制御用として突起でなる羽根側係合部を設けるようにする。
【０４３２】
また本発明は、例えば、押上部の本体部において一方の側面の所定位置に、第２回転軸４４に対する可変羽根車の複数の羽根の位置の制御用として１個の突起でなる押上側係合部を設けるようにする。
【０４３３】
そのうえで本発明は、第２回転軸４４に可変羽根車を、２個の羽根側係合部の間に押上部の押上側係合部を位置させるようにして、一回転方向及び他回転方向へ回転可能に設ける。
【０４３４】
これにより本発明は、第２回転軸４４に対する可変羽根車の回転に応じて、羽根側係合部と押上部の押上側係合部との接触箇所を変えて、当該第２回転軸４４に対する可変羽根車の複数の羽根の位置を変化させるようにしても良い。
【０４３５】
本発明は、これらの構成によっても、上述した実施の形態によって得られる効果と同様の効果を得ることができる。
【０４３６】
これに加えて本発明は、例えば、第２回転軸４４に固設される取込ローラや固定羽根車のような押上部以外の取込用固設部品の一方の側面に、当該第２回転軸４４に対する可変羽根車５８、６１の複数の羽根５８Ｂ、６１Ｂの位置の制御用として、その第２回転軸４４に沿わせるように比較的長い円弧状の係合部（以下、これを部品側係合部とも呼ぶ）を設けるようにする。
【０４３７】
そして本発明は、第２回転軸４４に対する可変羽根車５８、６１の回転に応じて、羽根側係合部６１Ｃと取込用固設部品の部品側係合部との接触箇所を変えて、当該第２回転軸４４に対する可変羽根車５８、６１の複数の羽根５８Ｂ、６１Ｂの位置を変化させるようにしても良い。
【０４３８】
因みに、本発明は、可変羽根車５８、６１と部品側係合部が設けられた取込用固設部品との間に他の取込用固設部品が介在していない場合、当該部品側係合部を単に第２回転軸４４に沿わせるようにする。
【０４３９】
ただし、本発明は、可変羽根車５８、６１と部品側係合部が設けられた取込用固設部品との間に他の１又は複数の取込用固設部品が介在する場合、当該他の取込用固設部品の孔部の一部に、その内径を広げるような円弧状の溝部を形成し、部品側係合部を当該溝部に通して第２回転軸４４に沿わせるようにする。
【０４４０】
これにより本発明は、このように押上部以外の取込用固設部品に部品側係合部を設けるような場合でも、第２回転軸４４に対する可変羽根車５８、６１の回転に応じて、羽根側係合部６１Ｃと取込用固設部品の部品側係合部とを接触させて、当該第２回転軸４４に対する可変羽根車５８、６１の複数の羽根５８Ｂ、６１Ｂの位置を変化させることができる。
【０４４１】
なお、本発明は、取込用固設部品の一方の側面に例えば、比較的長い２個の部品側係合部を設けるようにしても良い。
【０４４２】
また本発明は、可変羽根車の一方の側面に１又は２個の比較的長い羽根側係合部を設けると共に、取込用固設部品の一方の側面に２又は１個の比較的短い部品側係合部を設けるようにしても良い。
【０４４３】
そして本発明は、このような種々の構成によっても、上述した実施の形態によって得られる効果と同様の効果を得ることができる。
【０４４４】
（２−２）他の実施の形態２
また上述した実施の形態においては、押上部６３、６４に押上板６３Ｂ、６４Ｂを設けるようにした場合について述べた。
【０４４５】
しかしながら本発明は、これに限らず、押上部６３、６４に押上板６３Ｂ、６４Ｂを設ける構成に加えて、図１９に示すように、右側に位置する可変羽根車１０５にも本体部１０５Ａの側面において複数の羽根１０５Ｂの突出側となる１８０度以下の所定の角度範囲に例えば、円弧状の押上板１０５Ｃを設けるようにしても良い。
【０４４６】
また本発明は、左側に位置する可変羽根車を、図１９に示した右側に位置する可変羽根車１０５との中間位置で預払機左右方向と垂直な仮想平面に対し、その右側に位置する可変羽根車１０５と面対称な形状を有するように形成するようにしても良い。
【０４４７】
本発明は、係る構成によれば、図１４との対応部分に同一符号を付した図２０に示すように、紙幣収納庫１０６において第２回転軸４４が一回転方向へ回転している状態で、２個の可変羽根車１０５、１０７の複数の羽根１０５Ｂ、１０７Ａ及び押上板１０５Ｃ、１０７Ｂが下側に位置するときには、２個の押上部６３、６４の押上板６３Ｂ、６４Ｂを上側に位置させることができる。
【０４４８】
また本発明は、図１５との対応部分に同一符号を付した図２１に示すように、紙幣収納庫１０６において第２回転軸４４が一回転方向へ回転している状態で、２個の押上部６３、６４の押上板６３Ｂ、６４Ｂが下側に位置するときには、２個の可変羽根車１０５、１０７の複数の羽根１０５Ｂ、１０７Ａ及び押上板１０５Ｃ、１０７Ｂを上側に位置させることができる。
【０４４９】
よって本発明は、紙幣収納庫１０６において第２回転軸４４を一回転方向へ回転させた場合、２個のフィードローラ５０、５１と２個の取込ローラ５５、５６との間に挟み込んでいた紙幣９５の一端部及び他端部から、これらを押し上げていた２個の押上部６３、６４の押上板６３Ｂ、６４Ｂが離れても、当該紙幣９５の一端部及び他端部を、垂れ下がる前に２個の可変羽根車１０５、１０７の押上板１０５Ｃ、１０７Ｂ及び複数の羽根１０５Ｂ、１０７Ａで押し上げるようにして変形させ続けることができる。
【０４５０】
すなわち、本発明は、紙幣収納庫１０６において２個のフィードローラ５０、５１と２個の取込ローラ５５、５６との間に紙幣９５を搬送用に挟み込んでいる間は、当該紙幣９５の一端部及び他端部を２個の押上部６３、６４の押上板６３Ｂ、６４Ｂと２個の可変羽根車１０５、１０７の押上板１０５Ｃ、１０７Ｂ及び複数の羽根１０５Ｂ、１０７Ａとにより常に押し上げるようにして変形させることができる。
【０４５１】
よって本発明は、係る構成によっても、上述した実施の形態と同様に、紙幣収納庫１０６において取込繰出路４２から紙幣９５を、その一端部及び他端部のばたつきを抑えながら紙幣収納空間へ放出することができる。
【０４５２】
（２−３）他の実施の形態３
さらに上述した実施の形態においては、現金自動預払機１内で（すなわち、紙幣収納庫１８乃至２２内でも）、長方形の紙幣９５を、紙幣長手方向を預払機左右方向とほぼ平行にして、一方の長辺を搬送方向に向けた搬送姿勢で搬送し、また当該搬送姿勢に準じて取り扱うようにした場合について述べた。
【０４５３】
しかしながら本発明は、これに限らず、現金自動預払機１内で（すなわち、紙幣収納庫１８乃至２２内でも）、長方形の紙幣９５を、紙幣短手方向を預払機左右方向とほぼ平行にして、一方の短辺を搬送方向に向けた搬送姿勢で搬送し、また当該搬送姿勢に準じて取り扱うようにしても良い。
【０４５４】
（２−４）他の実施の形態４
さらに上述した実施の形態においては、複数の紙幣収納庫１８乃至２２各々において、第１搬送ガイド４０を、当該第１搬送ガイド４０の他端を収納庫筐体３０の後板３０Ｅの上端に接触させて設けるようにした場合について述べた。
【０４５５】
しかしながら本発明は、これに限らず、複数の紙幣収納庫１８乃至２２各々において、第１搬送ガイド４０を、当該第１搬送ガイド４０の他端部を収納庫筐体３０の後板３０Ｅの上端には接触させずに、その上端よりも紙幣収納空間へ突出させて設けるようにしても良い。
【０４５６】
（２−５）他の実施の形態５
さらに上述した実施の形態においては、複数の紙幣収納庫１８乃至２２各々において、第３回転軸４５に２個のプレッシャローラ６８を固設するようにした場合について述べた。
【０４５７】
しかしながら本発明は、これに限らず、複数の紙幣収納庫１８乃至２２各々において、収納庫筐体３０に第３回転軸４５を固設して、当該第３回転軸４５に２個のプレッシャローラ６８を、各々の中心に穿設された孔部を介して一回転方向及び他回転方向へ回転可能に設けるようにしても良い。
【０４５８】
（２−６）他の実施の形態６
さらに上述した実施の形態においては、複数の紙幣収納庫１８乃至２２各々において、第３回転軸４５に固設した２個のプレッシャローラ６８の外周面の一部を、取込繰出路４２内で２個のフィードローラ５０、５１の外周面の凸部の一部（すなわち、後斜め下側の部分）に押し付けるようにした場合について述べた。
【０４５９】
しかしながら本発明は、これに限らず、複数の紙幣収納庫１８乃至２２各々において、第３回転軸４５に固設した２個のプレッシャローラ６８の外周面の一部を、取込繰出路４２内で２個の補助ローラ５２、５３の外周面の一部（すなわち、後斜め下側の部分）に押し付けるようにしても良い。
【０４６０】
また本発明は、複数の紙幣収納庫１８乃至２２各々において、収納庫筐体３０に第３回転軸４５を固設すると共に、当該第３回転軸４５に２個のプレッシャローラ６８を、各々の中心に穿設された孔部を介して一回転方向及び他回転方向へ回転可能に設けるようにし、これら２個のプレッシャローラ６８の外周面の一部を、取込繰出路４２内で２個の補助ローラ５２、５３の外周面の一部（すなわち、後斜め下側の部分）に押し付けるようにしても良い。
【０４６１】
（２−７）他の実施の形態７
さらに上述した実施の形態においては、制御ユニット１０が、複数の紙幣収納庫１８乃至２２による紙幣９５の繰出処理時、紙幣到達検出部３６を介して、ステージ３５の一面３５Ａ上の最上位紙幣９５が紙幣取込位置に到達したことを検出すると、その時点から一定時間、ステージ駆動モータを動作させてステージ３５を上昇させることにより最上位紙幣９５を、４個のピッカローラ７３の外周面の下側の部分に所定の押圧力で押し付けるようにした場合について述べた。
【０４６２】
しかしながら本発明は、これに限らず、例えば、複数の紙幣収納庫１８乃至２２各々に４個のピッカローラ７３を上側及び下側へ変位可能に設けると共に、当該４個のピッカローラ７３の基準位置からの変位量を検出するための変位量検出部を設ける。
【０４６３】
そして本発明は、制御ユニット１０が、複数の紙幣収納庫１８乃至２２による紙幣９５の繰出処理時、ステージ駆動モータを動作させてステージ３５を上昇させながら、変位量検出部を介して４個のピッカローラ７３の上側への変位の有無を監視し、当該４個のピッカローラ７３が上側へ所定量変位したことを検出したときにステージ駆動モータの動作を停止させてステージ３５を停止させる。
【０４６４】
本発明は、このようにしてステージ３５上の最上位紙幣９５を、４個のピッカローラ７３の外周面の下側の部分に所定の押圧力で押し付けるようにしても良い。
【０４６５】
（２−８）他の実施の形態８
さらに上述した実施の形態においては、制御ユニット１０が、複数の紙幣収納庫１８乃至２２による紙幣９５の繰出処理時、紙幣通過検出部８０を介して取込繰出路４２内を紙幣９５が通過したことを検出する毎に、ステージ駆動モータを間欠的に動作させてステージ昇降部を駆動することで、ステージ３５を僅かに上昇させるようにした場合について述べた。
【０４６６】
しかしながら本発明は、これに限らず、例えば、複数の紙幣収納庫１８乃至２２各々に４個のピッカローラ７３を上側及び下側へ変位可能に設けると共に、当該４個のピッカローラ７３の基準位置からの変位量を検出するための変位量検出部を設ける。
【０４６７】
そして本発明は、制御ユニット１０が、複数の紙幣収納庫１８乃至２２による紙幣９５の繰出処理時、４個のピッカローラ７３によりステージ３５の一面３５Ａ上の最上位紙幣９５を２個のフィードローラ５０、５１と２個の取込ローラ５５、５６との間へ送り出しながら、変位量検出部を介して４個のピッカローラ７３の下側への変位の有無を監視して、当該４個のピッカローラ７３が下側へ所定量変位したことを検出する毎に、ステージ駆動モータを間欠的に動作させてステージ昇降部を駆動することで、ステージ３５を僅かに上昇させる。
【０４６８】
本発明は、このようにしてステージ３５の一面３５Ａ上から最上位紙幣９５が２個のフィードローラ５０、５１と２個の取込ローラ５５、５６との間へ送り出される毎に、ステージ３５により新たな最上位紙幣９５を４個のピッカローラ７３の外周面の下側の部分に所定の押圧力で押し付けるようにしても良い。
【０４６９】
（２−９）他の実施の形態９
さらに上述した実施の形態においては、本発明による取込繰出装置を、図１乃至図２１について上述した現金自動預払機１内の紙幣収納庫１８乃至２２に設けられた取込繰出部３２に適用するようにした場合について述べた。
【０４７０】
しかしながら本発明は、これに限らず、現金自動支払機（CD：Cash  Dispenser）や両替機、電車の切符や観劇のチケット等を販売する券売機、精算機、自動販売機、パチンコ台やスロット台のような遊戯機内に設けられた紙幣用の取込繰出部に適用することができる。
【０４７１】
また本発明は、取込繰出装置を、券売機に設けられた切符やチケット用の取込繰出部や、有価証券取扱機に設けられた有価証券用の取込繰出部、コピー機に設けられたコピー用紙用の取込繰出部、葉書取扱装置に設けられた葉書用の取込繰出部等のように、この他種々の媒体を取り込み及び繰り出すための取込繰出部にも広く適用することができる。
【０４７２】
（２−１０）他の実施の形態１０
さらに上述した実施の形態においては、本発明による媒体収納庫を、図１乃至図２１について上述した現金自動預払機１の紙幣処理ユニット１１内に固設された紙幣収納庫１８乃至２２に適用するようにした場合について述べた。
【０４７３】
しかしながら本発明は、これに限らず、現金自動預払機１の紙幣処理ユニット１１に着脱可能に装着される紙幣収納庫や、現金自動支払機、両替機、券売機、精算機、自動販売機、遊戯機に固設又は着脱可能に装着される紙幣収納庫に適用することができる。
【０４７４】
また本発明は、媒体収納庫を、有価証券取扱機に固設又は着脱可能に装着される有価証券収納庫、コピー機に固設又は着脱可能に装着されるコピー用紙収納庫、葉書取扱装置に固設又は着脱可能に装着される葉書収納庫等のように、この他種々の媒体を収納する媒体収納庫にも広く適用することができる。
【０４７５】
（２−１１）他の実施の形態１１
さらに上述した実施の形態においては、本発明による媒体取扱装置を、図１乃至図２１について上述した現金自動預払機１に適用するようにした場合について述べた。
【０４７６】
しかしながら本発明は、これに限らず、紙幣を取り扱う現金自動支払機、両替機、券売機、精算機、自動販売機及び遊戯機、切符やチケットを取り扱う券売機、有価証券を取り扱う有価証券取扱機、コピー用紙を取り扱うコピー機、葉書を取り扱う葉書取扱装置等のように、この他種々の媒体を取り扱う媒体取扱装置に広く適用することができる。
【０４７７】
（２−１２）他の実施の形態１２
さらに上述した実施の形態においては、一回転方向へ回転可能に設けられ、媒体を所定の取込繰出路を介して媒体収納空間に取り込むための複数種類の取込用固設部品が固設される回転軸として、図１乃至図２１について上述した第２回転軸４４を適用するようにした場合について述べた。
【０４７８】
しかしながら本発明は、これに限らず、例えば、取込用固設部品として１個、又は３個以上の取込ローラが固設される第２回転軸や、部品側係合部が設けられる取込ローラが固設される第２回転軸等のように、この他種々の構成の回転軸を広く適用することができる。
【０４７９】
（２−１３）他の実施の形態１３
さらに上述した実施の形態においては、回転軸に複数種類の取込用固設部品の１つとして固設され、本体部の外周面の一部に複数の羽根が植設された固定羽根車として、図１乃至図２１について上述した４個の固定羽根車５７、５９、６０、６２を適用するようにした場合について述べた。
【０４８０】
しかしながら本発明は、これに限らず、略Ｃ字状の本体部を有する固定羽根車や、可変羽根車に設けられる複数の羽根とは長さの異なる複数の羽根が設けられる固定羽根車、複数の羽根の一部又は全ての長さが異なる固定羽根車を適用することができる。
【０４８１】
また本発明は、固定羽根車として、第２回転軸に固設され、互いに羽根の長さが異なる複数の固定羽根車、第２回転軸に固設され、互いに幅及び外径の少なくとも一方が異なる複数の固定羽根車、第２回転軸に固設される３個以下、又は５個以上の固定羽根車、任意の位置に部品側係合部が設けられる固定羽根車等のように、この他種々の構成の固定羽根車も広く適用することができる。
【０４８２】
（２−１４）他の実施の形態１４
さらに上述した実施の形態においては、回転軸に一回転方向、及び当該一回転方向とは逆の他回転方向へ回転可能に設けられ、本体部の外周面の一部に複数の羽根が植設されると共に、回転軸に対する当該複数の羽根の位置の制御用として羽根側係合部が設けられた可変羽根車として、図１乃至図２１について上述した２個の可変羽根車５８、６１、１００を適用するようにした場合について述べた。
【０４８３】
しかしながら本発明は、これに限らず、略Ｃ字状の本体部を有する可変羽根車や、固定羽根車に設けられる複数の羽根とは長さの異なる複数の羽根が設けられる可変羽根車、複数の羽根の一部又は全ての長さが異なる可変羽根車を適用することができる。
【０４８４】
また本発明は、可変羽根車として、第２回転軸に回転可能に設けられ、互いに羽根の長さが異なる複数の可変羽根車、固定羽根車とは幅及び外径の少なくとも一方が異なる可変羽根車を適用することもできる。
【０４８５】
さらに本発明は、可変羽根車として、第２回転軸４４において２個の取込ローラ５５、５６の間に１個だけ回転可能に設けられる可変羽根車、第２回転軸４４に３個以上設けられる可変羽根車、円弧状や扇状、棒状等の種々の形状の１又は２個の羽根側係合部が任意の位置に設けられる可変羽根車等のように、この他種々の構成の可変羽根車も広く適用することができる。
【０４８６】
（２−１５）他の実施の形態１５
さらに上述した実施の形態においては、固定羽根車を含む複数種類の取込用固設部品のうちの何れかに、回転軸に対する可変羽根車の回転に応じて羽根側係合部との接触箇所を変えて、当該回転軸に対して可変羽根車の複数の羽根を、回転軸に対する固定羽根車の複数の羽根の突出側へ変位させ、また当該回転軸に対する固定羽根車の複数の羽根の否突出側へ変位させるために設けられた部品側係合部として、図１乃至図２１について上述した押上部６３、６４に設けられた円弧状の突起でなる押上側係合部６４Ｃを適用するようにした場合について述べた。
【０４８７】
しかしながら本発明は、これに限らず、取込用固設部品の側面の任意の位置に設けられる円弧状や扇状、棒状等の種々の形状の１又は２個の部品側係合部や、取込用固設部品の側面の凹部内の任意の位置に設けられる円弧状や扇状、棒状等の種々の形状の１又は２個の部品側係合部等のように、この他種々の構成の部品側係合部を広く適用することができる。
【０４８８】
（２−１６）他の実施の形態１６
さらに上述した実施の形態においては、回転軸に複数種類の取込用固設部品の１つとして可変羽根車の隣に位置するように固設され、本体部に部品側係合部が設けられると共に、取込繰出路を介して媒体が取込用に搬送される際に当該媒体の端部を押し上げるようにして変形させるための押上板が設けられた押上部として、図１乃至図２１について上述した押上部６３、６４、１０１を適用するようにした場合について述べた。
【０４８９】
しかしながら本発明は、これに限らず、略Ｃ字状の本体部を有する押上部や、本体部の一方の側面に第２回転軸４４を挿入するための孔部の内径よりも大きい所定の内径を有する円形又は円弧状の凹部が形成されると共に、当該凹部の内周面に略台形状の突起でなる押上側係合部が設けられた押上部等のように、この他種々の構成の押上部を広く適用することができる。
【産業上の利用可能性】
【０４９０】
本発明は、紙幣や有価証券、切符、チケット、コピー用紙、葉書等の紙葉類のような媒体を取り込み及び繰り出す取込繰出装置や、紙幣や有価証券、切符、チケット、コピー用紙、葉書等の紙葉類のような媒体を収納する媒体収納庫、紙幣や有価証券、切符、チケット、コピー用紙、葉書等の紙葉類のような媒体を取り扱う現金自動預払機や現金自動支払機等の媒体取扱装置に利用することができる。
【符号の説明】
【０４９１】
１……現金自動預払機、１８乃至２２……紙幣収納庫、３２……取込繰出部、４２……取込繰出路、４４……第２回転軸、５５、５６……取込ローラ、５７、５９、６０、６２……固定羽根車、５７Ａ乃至６４Ａ、１００Ａ、１０１Ａ……本体部、５７Ｂ乃至６２Ｂ、１００Ｂ……羽根、５８、６１、１００……可変羽根車、６１Ｃ、１００Ｃ……羽根側係合部、６３、６４、１０１……押上部、６３Ｂ、６４Ｂ……押上板、６４Ｃ、１０１Ｂ……押上側係合部、１００ＡＹ……凹部。
【図１】
2014125323.tif 000003
【図２】
2014125323.tif 000004
【図３】
2014125323.tif 000005
【図４】
2014125323.tif 000006
【図５】
2014125323.tif 000007
【図６】
2014125323.tif 000008
【図７】
2014125323.tif 000009
【図８】
2014125323.tif 000010
【図９】
2014125323.tif 000011
【図１０】
2014125323.tif 000012
【図１１】
2014125323.tif 000013
【図１２】
2014125323.tif 000014
【図１３】
2014125323.tif 000015
【図１４】
2014125323.tif 000016
【図１５】
2014125323.tif 000017
【図１６】
2014125323.tif 000018
【図１７】
2014125323.tif 000019
【図１８】
2014125323.tif 000020
【図１９】
2014125323.tif 000021
【図２０】
2014125323.tif 000022
【図２１】
2014125323.tif 000023
【図２２】
2014125323.tif 000024
【図２３】
2014125323.tif 000025
【図２４】
2014125323.tif 000026